(57)【要約】【課題】デジタルサイネージに係るエリア別コンテンツ配信システム、携帯端末装置、エリア別コンテンツ提供サーバ装置、中継サーバ装置、方法及びプログラムを提供する。【解決手段】本発明のエリア別コンテンツ配信システム１は、特定の地域ごとのコンテンツ情報を提供するエリア別コンテンツ提供サーバ装置２と、エリア別コンテンツ提供サーバ装置２とネットワーク７で接続され、携帯端末装置３により当該地域ごとのコンテンツ情報を無線ＬＡＮ通信で取得可能とするために、当該地域に配置される少なくとも１つの中継サーバ装置５とを備える。エリア別コンテンツ提供サーバ装置２は、中継サーバ装置５を識別して当該地域ごとのコンテンツ情報を配信する。携帯端末装置３は、自装置の物理的挙動を検知して中継サーバ装置５との無線ＬＡＮ通信を確立し、エリア別コンテンツ提供サーバ装置２が配信する地域ごとのコンテンツ情報を取得する。【選択図】図１
2013115545.tif 000002
【特許請求の範囲】
【請求項１】
特定の地域ごとのコンテンツ情報を提供するエリア別コンテンツ提供サーバ装置と、
前記エリア別コンテンツ提供サーバ装置とネットワークで接続され、所定の携帯端末装置により当該地域ごとのコンテンツ情報を無線ＬＡＮ通信で取得可能とするために、当該地域に配置される少なくとも１つの中継サーバ装置とを備え、
前記エリア別コンテンツ提供サーバ装置は、当該地域ごとのコンテンツ情報を前記少なくとも１つの中継サーバ装置を識別して配信するエリア別コンテンツ情報送信手段を有し、
前記携帯端末装置は、自装置の予め定められた物理的挙動を検知して前記少なくとも１つの中継サーバ装置との無線ＬＡＮ通信を確立する通信確立手段と、当該通信を確立した中継サーバ装置を介して前記エリア別コンテンツ提供サーバ装置が配信する当該地域ごとのコンテンツ情報を取得して表示するエリア別コンテンツ表示制御手段とを有することを特徴とする、エリア別コンテンツ配信システム。
【請求項２】
前記携帯端末装置は、自装置の位置情報を取得して確定する位置情報確定手段と、当該確定した位置情報について当該通信を確立した中継サーバ装置を介して前記エリア別コンテンツ提供サーバ装置に送信する位置情報送信手段を有し、
前記エリア別コンテンツ提供サーバ装置における前記エリア別コンテンツ情報送信手段は、前記位置情報に基づいて当該地域ごとのコンテンツ情報を特定し、当該通信を確立した中継サーバ装置に配信することを特徴とする、請求項１に記載のエリア別コンテンツ配信システム。
【請求項３】
前記携帯端末装置における前記位置情報確定手段は、ＧＰＳ（Global Positioning System）から前記位置情報を取得するか、又は当該通信を確立した中継サーバ装置が保持する位置情報を当該自装置の位置情報として取得することを特徴とする、請求項２に記載のエリア別コンテンツ配信システム。
【請求項４】
前記中継サーバ装置は、前記エリア別コンテンツ提供サーバ装置によって配信される当該地域ごとのコンテンツ情報を予め保持するエリア別コンテンツ情報データベースを備え、
前記携帯端末装置におけるエリア別コンテンツ表示制御手段は、該中継サーバ装置に予め保持されている当該地域ごとのコンテンツ情報を取得して表示することを特徴とする、請求項１に記載のエリア別コンテンツ配信システム。
【請求項５】
前記地域ごとのコンテンツ情報は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて選定されたコンテンツ情報からなることを特徴とする、請求項１に記載のエリア別コンテンツ配信システム。
【請求項６】
前記エリア別コンテンツ提供サーバ装置における前記エリア別コンテンツ情報送信手段は、前記ネットワークに接続される放送システムに対して、当該地域ごとのコンテンツ情報を送信する手段を有し、
前記放送システムは、当該地域ごとのコンテンツ情報を前記少なくとも１つの中継サーバ装置を識別する識別子を付して予め定めた放送スケジュールに従って放送波により前記少なくとも１つの中継サーバ装置に配信する放送波生成手段を有し、
前記中継サーバ装置は、前記放送スケジュールに従って前記放送波により当該地域ごとのコンテンツ情報を取得する放送波受信手段と、前記放送波により取得した当該地域ごとのコンテンツ情報を記憶しておき、予め定めた再生スケジュールに従って当該地域ごとのコンテンツに係る情報を再生する放送コンテンツ情報記憶・再生制御手段とを有し、
前記携帯端末装置におけるエリア別コンテンツ表示制御手段は、該中継サーバ装置に記憶された当該地域ごとのコンテンツ情報を前記再生時に取得することを特徴とする、請求項１に記載のエリア別コンテンツ配信システム。
【請求項７】
特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置であって、
自装置の予め定められた物理的挙動を検知して前記少なくとも１つの中継サーバ装置との無線ＬＡＮ通信を確立する通信確立手段と、
当該通信を確立した中継サーバ装置を介して前記エリア別コンテンツ提供サーバ装置が配信する当該地域ごとのコンテンツ情報を取得して表示するエリア別コンテンツ表示制御手段と、を備えることを特徴とする携帯端末装置。
【請求項８】
前記携帯端末装置は、さらに、
自装置の位置情報を取得して確定する位置情報確定手段と、
前記エリア別コンテンツ提供サーバ装置によって当該地域ごとのコンテンツ情報を特定させ、当該通信を確立した中継サーバ装置に配信させるために、当該確定した位置情報について当該通信を確立した中継サーバ装置を介して前記エリア別コンテンツ提供サーバ装置に送信する位置情報送信手段と、を備えることを特徴とする、請求項６に記載の携帯端末装置。
【請求項９】
前記位置情報確定手段は、ＧＰＳ（Global Positioning System）から前記位置情報を取得するか、又は当該通信を確立した中継サーバ装置が保持する位置情報を当該自装置の位置情報として取得することを特徴とする、請求項７に記載の携帯端末装置。
【請求項１０】
前記エリア別コンテンツ表示制御手段は、前記エリア別コンテンツ提供サーバ装置によって配信される当該地域ごとのコンテンツ情報を予め保持するエリア別コンテンツ情報データベースを備える中継サーバ装置から、当該地域ごとのコンテンツ情報を取得して表示することを特徴とする、請求項６に記載の携帯端末装置。
【請求項１１】
前記地域ごとのコンテンツ情報は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて選定されたコンテンツ情報からなることを特徴とする、請求項６に記載の携帯端末装置。
【請求項１２】
当該地域ごとのコンテンツは、前記エリア別コンテンツ提供サーバ装置から、前記ネットワークに接続される放送システムに対して送信され、前記放送システムから、当該地域ごとのコンテンツ情報を前記少なくとも１つの中継サーバ装置を識別する識別子を付して予め定めた放送スケジュールに従って放送波により前記少なくとも１つの中継サーバ装置に配信されており、前記少なくとも１つの中継サーバ装置の各々は、前記放送波により取得した当該地域ごとのコンテンツ情報を記憶しておき、予め定めた再生スケジュールに従って当該地域ごとのコンテンツに係る情報を再生するように構成されており、
前記エリア別コンテンツ表示制御手段は、当該通信を確立した中継サーバ装置に記憶された当該地域ごとのコンテンツ情報を前記再生時に取得することを特徴とする、請求項６に記載の携帯端末装置。
【請求項１３】
特定の地域ごとのコンテンツ情報を提供するエリア別コンテンツ提供サーバ装置であって、
ネットワークで接続された当該地域に配置される少なくとも１つの中継サーバ装置に対して、当該地域ごとのコンテンツ情報を前記少なくとも１つの中継サーバ装置を識別して配信するエリア別コンテンツ情報送信手段を備え、
自装置の予め定められた物理的挙動を検知して前記少なくとも１つの中継サーバ装置との無線ＬＡＮ通信を確立する所定の携帯端末装置により当該地域ごとのコンテンツ情報を取得可能とするために、前記エリア別コンテンツ情報送信手段は、当該携帯端末装置の位置情報を基に当該配信する地域ごとのコンテンツ情報を決定することを特徴とするエリア別コンテンツ提供サーバ装置。
【請求項１４】
前記エリア別コンテンツ情報送信手段は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて前記地域ごとのコンテンツ情報を選定する手段を有することを特徴とする、請求項１３に記載のエリア別コンテンツ提供サーバ装置。
【請求項１５】
前記地域ごとのコンテンツ情報は、当該地域に属する店舗のクーポンを含み、クーポンを発行した店舗とクーポンが使用された店舗との間での実績を示す履歴情報を記録して管理するエリア別コンテンツ情報管理部をさらに備え、
前記エリア別コンテンツ情報送信手段は、前記履歴情報を基に、配信するコンテンツの内容、配信するコンテンツの表示順序、又は前記特定の地域の設定を動的に変更することを特徴とする、請求項１３又は１４に記載のエリア別コンテンツ提供サーバ装置。
【請求項１６】
特定の地域ごとのコンテンツ情報を提供するエリア別コンテンツ提供サーバ装置とネットワークで接続される中継サーバ装置であって、
前記エリア別コンテンツ提供サーバ装置によって配信される特定地方における地域ごとのコンテンツ情報を予め保持するエリア別コンテンツ情報データベースと、
自装置の予め定められた物理的挙動を検知して無線ＬＡＮ通信を確立する所定の携帯端末装置により当該少なくとも１つの中継サーバ装置を介して当該地域ごとのコンテンツ情報を取得可能とするために、当該携帯端末装置の位置情報を基に前記携帯端末装置に送信する当該地域ごとのコンテンツ情報を決定するエリア別コンテンツ情報送信手段と、を備えることを特徴とする中継サーバ装置。
【請求項１７】
前記エリア別コンテンツ情報送信手段は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて前記地域ごとのコンテンツ情報を選定する手段を有することを特徴とする、請求項１６に記載の中継サーバ装置。
【請求項１８】
前記地域ごとのコンテンツ情報は、当該地域に属する店舗のクーポンを含み、前記エリア別コンテンツ提供サーバ装置によってクーポンを発行した店舗とクーポンが使用された店舗との間での実績を示す履歴情報が管理されており、
前記エリア別コンテンツ情報送信手段は、前記履歴情報を基に、配信するコンテンツの内容、配信するコンテンツの表示順序、又は前記特定の地域の設定を動的に変更することを特徴とする、請求項１６又は１７に記載の中継サーバ装置。
【請求項１９】
当該特定の地域ごとのコンテンツに含まれる特定のコンテンツの概要を表示するための少なくとも１つのデジタルサイネージと、前記特定のコンテンツに関するコンテンツ詳細情報を表示するための無線ＬＡＮ用コンピュータとを備えることを特徴とする、請求項１６から１８のいずれか一項に記載の中継サーバ装置。
【請求項２０】
特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置の制御方法であって、
自装置の予め定められた物理的挙動を検知して前記少なくとも１つの中継サーバ装置との無線ＬＡＮ通信を確立するステップと、
当該通信を確立した中継サーバ装置を介して前記エリア別コンテンツ提供サーバ装置が配信する当該地域ごとのコンテンツ情報を取得して表示するステップと、を含むことを特徴とする携帯端末装置の制御方法。
【請求項２１】
特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置の機能を実現するコンピュータに、
自装置の予め定められた物理的挙動を検知して前記少なくとも１つの中継サーバ装置との無線ＬＡＮ通信を確立するステップと、
当該通信を確立した中継サーバ装置を介して前記エリア別コンテンツ提供サーバ装置が配信する当該地域ごとのコンテンツ情報を取得して表示するステップと、
を実行させるためのプログラム。
【発明の詳細な説明】
【技術分野】
【０００１】
本発明は、コンテンツ再生システムに関するものであり、特に、デジタルサイネージに係るエリア別コンテンツ配信システム、携帯端末装置、エリア別コンテンツ提供サーバ装置、中継サーバ装置、方法及びプログラムに関する。
【背景技術】
【０００２】
デジタルサイネージは、主に街中で不特定多数の人々にデジタル広告等のコンテンツ情報を表示する装置として普及が進んでいる。デジタルサイネージを設置する場所の人々の趣向に応じて予めコンテンツ情報を編成することによって、その場所に応じた効果的なコンテンツ情報を提供できるシステムとなっている。例えば、コンテンツ提供者は、通信ネットワークを通じて、デジタルサイネージが再生するコンテンツ情報を変更することができる技術が知られている（例えば、特許文献１参照）。
【０００３】
また、コンテンツ提供者がネットワーク経由でデジタルサイネージに情報を提供する代わりに、地上デジタル放送を利用してデジタルサイネージに情報を与えるデジタルサイネージシステムが開示されている（例えば、特許文献２参照）。
【０００４】
また、システム自身が効果的なコンテンツ情報を判定し、再生するコンテンツ情報を動的に変更するコンテンツ再生システムが開示されている（例えば、特許文献３参照）。この技術では、時間（Ｔｉｍｅ）、場所（Ｐｌａｃｅ）又は場合（Ｏｃｃａｓｉｏｎ）を表す情報を基に再生するコンテンツ情報を動的に変更するため、情報提供効率が優れたものとなっている。
【０００５】
これらの従来のシステムでは、携帯端末装置を利用して情報を取得可能とするために、デジタルサイネージにはＦｅｌｉＣａ（登録商標）に対応した通信インターフェースを実現する非接触ＩＣカードリーダやＱＲコード（登録商標）が提示される。
【先行技術文献】
【特許文献】
【０００６】
【特許文献１】特開２００８−２５７２１６号公報
【特許文献２】特開２０１０−２１９００号公報
【特許文献３】特開２０１０−１０９６１３号公報
【発明の概要】
【発明が解決しようとする課題】
【０００７】
上述のごとく、従来のシステムでは、スマートフォンなどの携帯端末装置を利用してデジタルサイネージから情報を取得可能とするために、ＦｅｌｉＣａ（登録商標）に対応した通信インターフェースを実現する非接触ＩＣカードリーダや、ＱＲコード（登録商標）が提示される。このため、携帯端末装置を利用するユーザは、デジタル広告等のコンテンツ情報を取得するために、デジタルサイネージの設置位置を把握して、その設置場所に移動し、その非接触ＩＣカードリーダによるアクセスや、ＱＲコード（登録商標）の読み取り等の煩わしい動作を余儀なくされる。
【０００８】
また、商品やサービスを提供する各事業者が設置するデジタルサイネージは、それぞれの事業者が運営する店舗（例えば、ドラッグストアやガソリンスタンド等）に設置されることがある。通常、自事業者の店舗（例えば、ガソリンスタンド）で、他事業者（例えば、ドラッグストア）に関する商品やサービスについてのデジタル広告等のコンテンツ情報を提供することがない。一方で、ユーザ側の観点からは、或る店舗（例えば、ガソリンスタンド）の近隣に位置する他の店舗（例えば、ドラッグストア）に関する情報も同時に取得できれば効率的であり、利便性も高まることになる。
【０００９】
本発明の目的は、上述の問題を鑑みて為されたものであり、デジタルサイネージに係るエリア別コンテンツ配信システム、携帯端末装置、エリア別コンテンツ提供サーバ装置、中継サーバ装置、方法及びプログラムを提供することにある。
【課題を解決するための手段】
【００１０】
前記課題を解決するために、本発明のエリア別コンテンツ配信システムは、特定の地域ごとのコンテンツ情報を提供するエリア別コンテンツ提供サーバ装置と、前記エリア別コンテンツ提供サーバ装置とネットワークで接続され、所定の携帯端末装置により当該地域ごとのコンテンツ情報を無線ＬＡＮ（Local Area Network）通信で取得可能とするために、当該地域に配置される少なくとも１つの中継サーバ装置とを備え、前記エリア別コンテンツ提供サーバ装置は、当該地域ごとのコンテンツ情報を前記少なくとも１つの中継サーバ装置を識別して配信するエリア別コンテンツ情報送信手段を有し、前記携帯端末装置は、自装置の予め定められた物理的挙動を検知して前記少なくとも１つの中継サーバ装置との無線ＬＡＮ通信を確立する通信確立手段と、当該通信を確立した中継サーバ装置を介して前記エリア別コンテンツ提供サーバ装置が配信する当該地域ごとのコンテンツ情報を取得して表示するエリア別コンテンツ表示制御手段とを有することを特徴とする。
【００１１】
これにより、携帯端末装置を利用するユーザの利便性が高まるとともに、地域に適したコンテンツの管理や配信の効率が高まるようになる。ここで、用語“コンテンツ”の解釈において、本願明細書中では「コンテンツ」の語を広義の意味で用い、特に、各事業者が広告する“商品やサービスのお得情報”や“商品やサービスのクーポン”を含むものとする。
【００１２】
また、本発明のエリア別コンテンツ配信システムにおいて、前記携帯端末装置は、自装置の位置情報を取得して確定する位置情報確定手段と、当該確定した位置情報について当該通信を確立した中継サーバ装置を介して前記エリア別コンテンツ提供サーバ装置に送信する位置情報送信手段を有し、前記エリア別コンテンツ提供サーバ装置における前記エリア別コンテンツ情報送信手段は、前記位置情報に基づいて当該地域ごとのコンテンツ情報を特定し、当該通信を確立した中継サーバ装置に配信することを特徴とする。
【００１３】
これにより、エリア別コンテンツ提供サーバ装置は、携帯端末装置の位置を把握することができ、携帯端末装置を利用するユーザにとって必要な地域ごとのコンテンツのみを中継サーバ装置に配信することができるようになる。
【００１４】
また、本発明のエリア別コンテンツ配信システムにおいて、前記携帯端末装置における前記位置情報確定手段は、ＧＰＳ（Global Positioning System）から前記位置情報を取得するか、又は当該通信を確立した中継サーバ装置が保持する位置情報を当該自装置の位置情報として取得することを特徴とする。
【００１５】
これにより、携帯端末装置の位置を確定することができ、エリア別コンテンツ提供サーバ装置は、携帯端末装置を利用するユーザにとって必要な地域ごとのコンテンツのみを中継サーバ装置に配信することができるようになる。
【００１６】
また、本発明のエリア別コンテンツ配信システムにおいて、前記中継サーバ装置は、前記エリア別コンテンツ提供サーバ装置によって配信される当該地域ごとのコンテンツ情報を予め保持するエリア別コンテンツ情報データベースを備え、前記携帯端末装置におけるエリア別コンテンツ表示制御手段は、該中継サーバ装置に予め保持されている当該地域ごとのコンテンツ情報を取得して表示することを特徴とする。
【００１７】
これにより、地域ごとのコンテンツの配信に係るエリア別コンテンツ提供サーバ装置と中継サーバ装置との間のトランザクションを低減させることができる。
【００１８】
また、本発明のエリア別コンテンツ配信システムにおいて、前記地域ごとのコンテンツ情報は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて選定されたコンテンツ情報からなることを特徴とする。
【００１９】
これにより、携帯端末装置を利用するユーザにとって必要な地域ごとのコンテンツのみを中継サーバ装置に配信することができるようになる。また、配信するコンテンツ情報は、携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報を基に、動的に変更することができる。
【００２０】
また、本発明のエリア別コンテンツ配信システムにおいて、前記エリア別コンテンツ提供サーバ装置における前記エリア別コンテンツ情報送信手段は、前記ネットワークに接続される放送システムに対して、当該地域ごとのコンテンツ情報を送信する手段を有し、前記放送システムは、当該地域ごとのコンテンツ情報を前記少なくとも１つの中継サーバ装置を識別する識別子を付して予め定めた放送スケジュールに従って放送波により前記少なくとも１つの中継サーバ装置に配信する放送波生成手段を有し、前記中継サーバ装置は、前記放送スケジュールに従って前記放送波により当該地域ごとのコンテンツ情報を取得する放送波受信手段と、前記放送波により取得した当該地域ごとのコンテンツ情報を記憶しておき、予め定めた再生スケジュールに従って当該地域ごとのコンテンツに係る情報を再生する放送コンテンツ情報記憶・再生制御手段とを有し、前記携帯端末装置におけるエリア別コンテンツ表示制御手段は、該中継サーバ装置に記憶された当該地域ごとのコンテンツ情報を前記再生時に取得することを特徴とする。
【００２１】
これにより、携帯端末装置を利用するユーザは、放送波で取得し再生された地域ごとのコンテンツに係る情報を視聴しながら、関連する地域ごとのコンテンツ情報を取得することができ、地域ごとのコンテンツの配信に係るネットワークにおける通信コストを低減させることができる。
【００２２】
また、本発明の携帯端末装置は、特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置であって、自装置の予め定められた物理的挙動を検知して前記少なくとも１つの中継サーバ装置との無線ＬＡＮ通信を確立する通信確立手段と、当該通信を確立した中継サーバ装置を介して前記エリア別コンテンツ提供サーバ装置が配信する当該地域ごとのコンテンツ情報を取得して表示するエリア別コンテンツ表示制御手段と、を備えることを特徴とする。
【００２３】
これにより、携帯端末装置を利用するユーザの利便性が高まるとともに、地域に適したコンテンツの管理や配信の効率が高まるようになる。
【００２４】
また、本発明の携帯端末装置において、前記携帯端末装置は、さらに、自装置の位置情報を取得して確定する位置情報確定手段と、前記エリア別コンテンツ提供サーバ装置によって当該地域ごとのコンテンツ情報を特定させ、当該通信を確立した中継サーバ装置に配信させるために、当該確定した位置情報について当該通信を確立した中継サーバ装置を介して前記エリア別コンテンツ提供サーバ装置に送信する位置情報送信手段と、を備えることを特徴とする。
【００２５】
これにより、携帯端末装置は、エリア別コンテンツ提供サーバ装置に対して、携帯端末装置の位置を把握させることができ、携帯端末装置を利用するユーザにとって必要な地域ごとのコンテンツのみを中継サーバ装置を介して取得することができるようになる。
【００２６】
また、本発明の携帯端末装置において、前記位置情報確定手段は、ＧＰＳ（Global Positioning System）から前記位置情報を取得するか、又は当該通信を確立した中継サーバ装置が保持する位置情報を当該自装置の位置情報として取得することを特徴とする。
【００２７】
これにより、携帯端末装置の位置を確定することができ、エリア別コンテンツ提供サーバ装置から、携帯端末装置を利用するユーザにとって必要な地域ごとのコンテンツのみを中継サーバ装置を介して取得することができるようになる。
【００２８】
また、本発明の携帯端末装置において、前記エリア別コンテンツ表示制御手段は、前記エリア別コンテンツ提供サーバ装置によって配信される当該地域ごとのコンテンツ情報を予め保持するエリア別コンテンツ情報データベースを備える中継サーバ装置から、当該地域ごとのコンテンツ情報を取得して表示することを特徴とする。
【００２９】
これにより、地域ごとのコンテンツの配信に係るエリア別コンテンツ提供サーバ装置と中継サーバ装置との間のトランザクションを低減させることができる。
【００３０】
また、本発明の携帯端末装置において、前記地域ごとのコンテンツ情報は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて選定されたコンテンツ情報からなることを特徴とする。
【００３１】
これにより、携帯端末装置を利用するユーザにとって必要な地域ごとのコンテンツのみを中継サーバ装置を介して取得することができるようになる。また、配信するコンテンツ情報は、携帯端末装置を利用するユーザに関する時間（Ｔｉｍｅ）、位置情報（Ｐｌａｃｅ）及びユーザ属性の情報を含む場合（Ｏｃｃａｓｉｏｎ）を表す情報であるＴＰＯ情報を基に、動的に変更することができる。
【００３２】
また、本発明の携帯端末装置において、当該地域ごとのコンテンツは、前記エリア別コンテンツ提供サーバ装置から、前記ネットワークに接続される放送システムに対して送信され、前記放送システムから、当該地域ごとのコンテンツ情報を前記少なくとも１つの中継サーバ装置を識別する識別子を付して予め定めた放送スケジュールに従って放送波により前記少なくとも１つの中継サーバ装置に配信されており、前記少なくとも１つの中継サーバ装置の各々は、前記放送波により取得した当該地域ごとのコンテンツ情報を記憶しておき、予め定めた再生スケジュールに従って当該地域ごとのコンテンツに係る情報を再生するように構成されており、前記エリア別コンテンツ表示制御手段は、当該通信を確立した中継サーバ装置に記憶された当該地域ごとのコンテンツ情報を前記再生時に取得することを特徴とする。
【００３３】
これにより、携帯端末装置を利用するユーザは、放送波で取得し再生された地域ごとのコンテンツに係る情報を視聴しながら、関連する地域ごとのコンテンツ情報を取得することができ、地域ごとのコンテンツの配信に係るネットワークにおける通信コストを低減させることができる。
【００３４】
また、本発明のエリア別コンテンツ提供サーバ装置は、特定の地域ごとのコンテンツ情報を提供するエリア別コンテンツ提供サーバ装置であって、ネットワークで接続された当該地域に配置される少なくとも１つの中継サーバ装置に対して、当該地域ごとのコンテンツ情報を前記少なくとも１つの中継サーバ装置を識別して配信するエリア別コンテンツ情報送信手段を備え、自装置の予め定められた物理的挙動を検知して前記少なくとも１つの中継サーバ装置との無線ＬＡＮ通信を確立する所定の携帯端末装置により当該地域ごとのコンテンツ情報を取得可能とするために、前記エリア別コンテンツ情報送信手段は、当該携帯端末装置の位置情報を基に当該配信する地域ごとのコンテンツ情報を決定することを特徴とする。
【００３５】
これにより、携帯端末装置を利用するユーザの利便性が高まるとともに、地域に適したコンテンツの管理や配信の効率が高まるようになる。
【００３６】
また、本発明のエリア別コンテンツ提供サーバ装置において、前記エリア別コンテンツ情報送信手段は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて前記地域ごとのコンテンツ情報を選定する手段を有することを特徴とする。
【００３７】
これにより、携帯端末装置を利用するユーザにとって必要な地域ごとのコンテンツのみを中継サーバ装置を介して取得することができるようになる。また、配信するコンテンツ情報は、携帯端末装置を利用するユーザに関する時間（Ｔｉｍｅ）、位置情報（Ｐｌａｃｅ）及びユーザ属性の情報を含む場合（Ｏｃｃａｓｉｏｎ）を表す情報であるＴＰＯ情報を基に、動的に変更することができる。
【００３８】
また、本発明のエリア別コンテンツ提供サーバ装置において、前記地域ごとのコンテンツ情報は、当該地域に属する店舗のクーポンを含み、クーポンを発行した店舗とクーポンが使用された店舗との間での実績を示す履歴情報を記録して管理するエリア別コンテンツ情報管理部をさらに備え、前記エリア別コンテンツ情報送信手段は、前記履歴情報を基に、配信するコンテンツの内容、配信するコンテンツの表示順序、又は前記特定の地域の設定を動的に変更することを特徴とする。
【００３９】
これにより、携帯端末装置を利用するユーザにとって必要な地域ごとのコンテンツについて、より利用率の高い順で情報を取得できるため、送客効率の高い情報提供が可能となる。
【００４０】
また、本発明の中継サーバ装置は、特定の地域ごとのコンテンツ情報を提供するエリア別コンテンツ提供サーバ装置とネットワークで接続される中継サーバ装置であって、前記エリア別コンテンツ提供サーバ装置によって配信される特定地方における地域ごとのコンテンツ情報を予め保持するエリア別コンテンツ情報データベースと、自装置の予め定められた物理的挙動を検知して無線ＬＡＮ通信を確立する所定の携帯端末装置により当該少なくとも１つの中継サーバ装置を介して当該地域ごとのコンテンツ情報を取得可能とするために、当該携帯端末装置の位置情報を基に前記携帯端末装置に送信する当該地域ごとのコンテンツ情報を決定するエリア別コンテンツ情報送信手段と、を備えることを特徴とする。
【００４１】
これにより、携帯端末装置を利用するユーザの利便性が高まるとともに、地域に適したコンテンツの管理や配信の効率が高まるようになる。
【００４２】
また、本発明の中継サーバ装置において、前記エリア別コンテンツ情報送信手段は、前記携帯端末装置を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて前記地域ごとのコンテンツ情報を選定する手段を有することを特徴とする。
【００４３】
これにより、携帯端末装置を利用するユーザにとって必要な地域ごとのコンテンツのみを中継サーバ装置を介して取得することができるようになる。また、配信するコンテンツ情報は、携帯端末装置を利用するユーザに関する時間（Ｔｉｍｅ）、位置情報（Ｐｌａｃｅ）及びユーザ属性の情報を含む場合（Ｏｃｃａｓｉｏｎ）を表す情報であるＴＰＯ情報を基に、動的に変更することができる。
【００４４】
また、本発明の中継サーバ装置において、前記地域ごとのコンテンツ情報は、当該地域に属する店舗のクーポンを含み、前記エリア別コンテンツ提供サーバ装置によってクーポンを発行した店舗とクーポンが使用された店舗との間での実績を示す履歴情報が管理されており、前記エリア別コンテンツ情報送信手段は、前記履歴情報を基に、配信するコンテンツの内容、配信するコンテンツの表示順序、又は前記特定の地域の設定を動的に変更することを特徴とする。
【００４５】
また、本発明の中継サーバ装置において、当該特定の地域ごとのコンテンツに含まれる特定のコンテンツの概要を表示するための少なくとも１つのデジタルサイネージと、前記特定のコンテンツに関するコンテンツ詳細情報を表示するための無線ＬＡＮ用コンピュータとを備えることを特徴とする。これにより、携帯端末装置を利用するユーザにとって必要な地域ごとのコンテンツについて、より利用率の高い順で情報を提示することや、コンテンツの内容の効率的な提示を可能とするため、送客効率の高い情報提供が可能となる。
【００４６】
また、本発明の携帯端末装置の制御方法は、特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置の制御方法であって、自装置の予め定められた物理的挙動を検知して前記少なくとも１つの中継サーバ装置との無線ＬＡＮ通信を確立するステップと、当該通信を確立した中継サーバ装置を介して前記エリア別コンテンツ提供サーバ装置が配信する当該地域ごとのコンテンツ情報を取得して表示するステップと、を含むことを特徴とする。
【００４７】
これにより、携帯端末装置を利用するユーザの利便性が高まるとともに、地域に適したコンテンツの管理や配信の効率が高まるようになる。
【００４８】
また、本発明のプログラムは、特定の地域ごとのコンテンツ情報を提供するエリア別コンテンツ提供サーバ装置とネットワークで接続され当該地域に配置される少なくとも１つの中継サーバ装置から、当該地域ごとのコンテンツ情報を無線ＬＡＮ通信で取得可能とする携帯端末装置の機能を実現するコンピュータに、自装置の予め定められた物理的挙動を検知して前記少なくとも１つの中継サーバ装置との無線ＬＡＮ通信を確立するステップと、当該通信を確立した中継サーバ装置を介して前記エリア別コンテンツ提供サーバ装置が配信する当該地域ごとのコンテンツ情報を取得して表示するステップと、を実行させるためのプログラムであることを特徴とする。
【００４９】
これにより、携帯端末装置を利用するユーザの利便性が高まるとともに、地域に適したコンテンツの管理や配信の効率が高まるようになる。
【発明の効果】
【００５０】
本発明によれば、携帯端末装置を利用するユーザの利便性が高まるとともに、地域に適したコンテンツの管理や配信の効率が高まるようになる。例えば、特定の地域における或る店舗に設置した中継サーバ装置（或いはデジタルサイネージ）を介して、携帯端末装置を利用するユーザは、当該特定の地域に属する複数種の店舗のコンテンツについての情報を取得することができる。また、各店舗の事業者としては、或る店舗（例えば、ガソリンスタンド）から別の店舗（例えば、ドラッグストア）への送客効果も期待でき、当該特定の地域内における人の流れを作ることで効率的な集客が可能となり、効率的な販売促進へと繋がることになる。さらに、エリア別コンテンツ提供サーバ装置は、このような動態管理（コンテンツを利用した人の流れの管理）を履歴情報として収集し、配信するコンテンツの内容や表示順序、さらには特定の地域の設定を動的に変更することにより、上述の送客効果及び集客効果をより効率的に且つ迅速に行うことができるようになる。
【図面の簡単な説明】
【００５１】
【図１】本発明による一実施形態のエリア別コンテンツ配信システムの概略図である。
【図２】本発明による一実施形態の携帯端末装置における振動検知の説明図である。
【図３】本発明による一実施形態の携帯端末装置の構成図である。
【図４】本発明による一実施形態の携帯端末装置における制御部のブロック図である。
【図５】本発明による一実施形態の中継サーバ装置のブロック図である。
【図６】本発明による一実施形態の中継サーバ装置における識別子記憶部の構成例を示す図である。
【図７】本発明による一実施形態の中継サーバ装置におけるエリア別コンテンツ情報データベース（ＤＢ）の構成例を示す図である。
【図８】本発明による一実施形態の中継サーバ装置における位置情報記憶部の構成例を示す図である。
【図９】本発明による一実施形態のエリア別コンテンツ提供サーバ装置のブロック図である。
【図１０】（Ａ）、（Ｂ）は、本発明による一実施形態のエリア別コンテンツ提供サーバ装置におけるエリア別コンテンツ情報ＤＢの構成例を示す図である。
【図１１】本発明による一実施形態のエリア別コンテンツ提供サーバ装置における放送用制御情報ＤＢの構成例を示す図である。
【図１２】本発明による一実施形態の放送システムのブロック図である。
【図１３】（Ａ）、（Ｂ）は、本発明による一実施形態の放送システムにおける放送態様を説明する図である。
【図１４】本発明による一実施形態のエリア別コンテンツ配信システムにおけるシーケンス図である。
【図１５】本発明による一実施形態の携帯端末装置における制御フロー図である。
【図１６】本発明による一実施形態の携帯端末装置における通信起動時のアプリケーション画面例を示す図である。
【図１７】本発明による一実施形態の携帯端末装置における通信起動時の確認画面例を示す図である。
【図１８】本発明による一実施形態の携帯端末装置におけるエリア別コンテンツの一覧画面例を示す図である。
【図１９】本発明による一実施形態の携帯端末装置におけるエリア別コンテンツの検索画面例を示す図である。
【図２０】本発明による一実施形態の携帯端末装置におけるエリア別コンテンツの検索結果一覧画面例を示す図である。
【図２１】本発明による一実施形態の携帯端末装置におけるエリア別コンテンツの詳細情報画面例を示す図である。
【図２２】本発明による一実施形態の携帯端末装置におけるクーポン使用時画面例を示す図である。
【図２３】本発明による一実施形態の携帯端末装置におけるクーポン使用後画面例を示す図である。
【図２４】本発明による別の一実施形態のエリア別コンテンツ提供サーバ装置のブロック図である。
【図２５】本発明による別の一実施形態のエリア別コンテンツ配信システムの概略図である。
【図２６】本発明による別の一実施形態のエリア別コンテンツ配信システムにおける中継サーバ装置として機能するデジタルサイネージの一例を示すブロック図である。
【図２７】（Ａ）、（Ｂ）、（Ｃ）は、本発明による別の一実施形態のエリア別コンテンツ配信システムにおけるエリア別コンテンツ情報ＤＢの構成例を示す図である。
【図２８】本発明による各実施形態のエリア別コンテンツ配信システムによる発明効果の一例を説明する図である。
【発明を実施するための形態】
【００５２】
以下、本発明を実施するための形態について図面を用いて詳細に説明する。
〔システム〕
まず、本発明による一実施形態のエリア別コンテンツ配信システムについて説明する。図１は、本発明による一実施形態のエリア別コンテンツ配信システム１の概略図である。本実施形態のエリア別コンテンツ配信システム１は、特定の地域ごとのコンテンツ情報を提供するエリア別コンテンツ提供サーバ装置２と、特定の地域（エリア）に配置される少なくとも１つの中継サーバ装置５とを備える。また、本実施形態のエリア別コンテンツ配信システム１は、さらに、放送システム４を備える例を説明する。エリア別コンテンツ提供サーバ装置２、中継サーバ装置５及び放送システム４は、インターネット等のネットワーク７に接続される。
【００５３】
それぞれの中継サーバ装置５は、例えば、商品やサービスを提供する各事業者が運営する店舗Ａ（例えば、ガソリンスタンド）、店舗Ｂ（例えば、レストラン）、及び店舗Ｃ（例えば、ドラッグストア）等に設置されている場合を説明する。これらの店舗は、エリア別コンテンツ配信システム１によって管理される特定の地域に属し、それぞれの店舗は近隣（例えば、５ｋｍ以内の距離）に位置するものとする。
【００５４】
また、中継サーバ装置５は、エリア別コンテンツ提供サーバ装置２とインターネット等のネットワーク７で接続され、本発明に係るエリア別コンテンツ配信システム１を利用するユーザが使用する携帯端末装置３により、エリア別コンテンツ提供サーバ装置２が提供する当該地域ごとのコンテンツ情報を無線ＬＡＮ通信（例えば、Ｗｉ−Ｆｉ（登録商標）通信等）で取得可能である。
【００５５】
放送システム４は、エリア別コンテンツ提供サーバ装置２とネットワーク７で接続され、当該地域ごとのコンテンツ情報を予め蓄積しておき、当該地域ごとのコンテンツ情報をそれぞれの中継サーバ装置５を識別する識別子を付して予め定めた放送スケジュールに従って放送波によりそれぞれの中継サーバ装置５に配信することができる。
【００５６】
また、本発明に係る携帯端末装置３は、スマートフォンなどの携帯電話機やタブレットなどのパーソナルコンピュータ等の端末装置であり、当該ユーザによる「コヅチを振る動作」によって生じる自装置の予め定められた物理的挙動を検知して、いずれかの中継サーバ装置５との無線ＬＡＮ通信を確立し、当該通信を確立した中継サーバ装置５を介してエリア別コンテンツ提供サーバ装置２が配信する当該地域ごとのコンテンツ情報を取得して表示する。ここで、「予め定められた物理的挙動」とは、無線ＬＡＮ通信の確立を要求する物理的な動作を云う。例えば、携帯端末装置３を振ることで得られる振動、携帯端末装置３を規定時間継続して所定角度で傾ける動作、又は上下動、左右動、回転動又はこれらの組み合わせ動作で特定される、ユーザが携帯端末装置３を用いて無線ＬＡＮ通信の確立を要求する旨を示す予め定めた動作とする。以下の説明では、代表して、携帯端末装置３を振ることで得られる振動を検知して無線ＬＡＮ通信の確立を行う例を説明する。例えば、図２に示すように、ユーザが携帯端末装置３を数回振ることによって、携帯端末装置３が店舗Ａに設置された中継サーバ装置５との無線ＬＡＮ通信を確立し、当該地域ごとのコンテンツ情報を取得可能である旨を示すアプリケーション画面１０００が起動する仕組みとなっている。したがって、本発明に係る携帯端末装置３では、特定の地域におけるデジタル広告等のコンテンツ情報を取得するために或る店舗（例えば、店舗Ａ）の入り口や店舗内で携帯端末装置３の「コヅチを振る動作」を行うだけでよく、中継サーバ装置５の設置位置を把握する必要がなく、さらには非接触ＩＣカードリーダによるアクセスやＱＲコード（登録商標）の読み取り等の煩わしい動作も必要ない。また、本発明に係る携帯端末装置３は、店舗Ａで通信確立した中継サーバ装置５を介して、他の店舗（例えば、店舗Ｂや店舗Ｃ）に関するコンテンツ（例えば、商品やサービスのお得情報やクーポン）の取得も可能とする。
【００５７】
以下、携帯端末装置３、中継サーバ装置５、エリア別コンテンツ提供サーバ装置２及び放送システム４について、その詳細を順に説明する。
【００５８】
〔携帯端末装置３の構成〕
まず、本実施形態の携帯端末装置３の構成について説明する。図３は、本発明による一実施形態の携帯端末装置３の構成図である。携帯端末装置３は、表示部３１と、記憶部３２と、入出力インターフェース（ＩＦ）部３３と、通信部３４と、操作部３５と、振動検知部３６と、位置情報取得部３７と、制御部３８とを備える。
【００５９】
表示部３１は、ユーザに対してコンテンツ情報を表示する画面や、操作を指示する画面を表示する機能を有する（例えば、後述する図１６〜図２３参照）。
【００６０】
記憶部３２は、各種のデータや、制御部３８を機能させるためのプログラムを格納する。
【００６１】
入出力インターフェース（ＩＦ）部３３は、外部機器との通信を行うためのインターフェースであり、例えば、クーポン実行時の非接触の近距離通信用インターフェースとする。
【００６２】
通信部３４は、中継サーバ装置５との無線ＬＡＮ通信を確立し、エリア別コンテンツサーバ装置２とのデータの送受信を行う機能を有する。
【００６３】
操作部３５は、表示部３１に表示された画面を基に、ユーザが操作するユーザインターフェースの機能を有する。
【００６４】
振動検知部３６は、例えば１秒間あたり所定角度の動きを何回繰り返したかを検出するセンサであり、例えば１秒間に何度動いたかを示す角速度を検出するジャイロセンサや、角度センサ、加速度センサ、衝撃センサ等を用いて構成することができる。
【００６５】
位置情報取得部３７は、例えばＧＰＳ（Global Positioning System）から自装置の位置情報を取得する機能を有する。尚、ＧＰＳの代わりに、通信部３４を介して中継サーバ装置５から位置情報を自装置の位置情報として取得するように構成することもできる。
【００６６】
制御部３８は、表示部３１、記憶部３２、入出力インターフェース（ＩＦ）部３３、通信部３４、操作部３５、振動検知部３６及び位置情報取得部３７を制御して、以下に説明する機能を実現する。
【００６７】
図４は、本実施形態の携帯端末装置３における制御部３８のブロック図である。制御部３８は、振動情報確定部３８１と、無線ＬＡＮ通信確立部３８２と、位置情報確定部３８３と、位置情報送信部３８４と、エリア別コンテンツ表示制御部３８５と、コンテンツ情報保存部３８６と、クーポン実行制御部３８７とを備える。エリア別コンテンツ表示制御部３８５は、一覧画面・検索画面表示制御部３８５１と、検索条件確定部３８５２と、検索一覧画面表示制御部３８５３とを備える。
【００６８】
振動情報確定部３８１は、振動検知部３６から、例えば１秒間あたり所定角度の動きを何回繰り返したかを示す振動情報を取得し、例えば１秒間あたり角度１０°以上の動きを２回以上繰り返したか否かを判定し、この振動があったと判定した場合、当該振動情報を真として確定して、その旨を無線ＬＡＮ通信確立部３８２に送出する。
【００６９】
無線ＬＡＮ通信確立部３８２は、振動情報確定部３８１から振動があった旨を受け付けると、無線ＬＡＮ通信制御信号により通信部３４を介して中継サーバ装置５との無線ＬＡＮ通信を試みる。中継サーバ装置５との無線ＬＡＮ通信の確立が為された場合、その旨を位置情報確定部３８３に送出するとともに、アプリケーション画面１０００（図２、又は後述する図１６参照）を表示部３１に表示する。
【００７０】
位置情報確定部３８３は、無線ＬＡＮ通信確立部３８２から、中継サーバ装置５との無線ＬＡＮ通信の確立が為された旨を受け付けると、位置情報取得部３７から得られる位置情報を自装置の位置情報として確定する。また、位置情報取得部３７から位置情報が取得できない場合には、通信部３４を介して中継サーバ装置５から得られる位置情報を自装置の位置情報として確定する。確定した位置情報は、位置情報送信部３８４に送出される。尚、自装置の位置情報は、無線ＬＡＮ通信を確立した中継サーバ装置５から取得する方法と、自装置の位置情報取得部３７で取得する方法とがある。いずれの方法でも位置情報を取得できる場合には、いずれかの方法で取得した位置情報を、自装置の位置情報として確定するように予め定めるか、又は選択可能に設定できるようにする。例えば、店舗Ａに設置された中継サーバ装置３を介して中継サーバ装置３の位置情報を用いる場合には、中継サーバ装置３の位置情報が属するエリアのコンテンツ情報を得ることができ、店舗Ａに設置された中継サーバ装置３との無線ＬＡＮ通信の確立前に取得した振動検知の直後のＧＰＳ等による位置情報を用いる場合には、店舗Ａに設置された中継サーバ装置３を介して、その振動検知の直後に取得していた位置情報が属するエリアのコンテンツ情報を得ることができる。
【００７１】
位置情報送信部３８４は、位置情報確定部３８３によって確定した位置情報を、通信部３４を介して通信確立した中継サーバ装置５に送出し、エリア別コンテンツ表示制御部３８５の処理に移行する。以下の説明において、携帯端末装置３を利用する時間（Ｔｉｍｅ）、位置情報（Ｐｌａｃｅ）及びユーザ属性の情報を含む場合（Ｏｃｃａｓｉｏｎ）を表す情報を基に、エリア別コンテンツサーバ装置２によるコンテンツ配信の選定のための基本情報とすることができる。ユーザ属性の情報を含む場合（Ｏｃｃａｓｉｏｎ）の情報については、予めエリア別コンテンツサーバ装置２に登録しておき、位置情報（Ｐｌａｃｅ）のみを中継サーバ装置５を介してエリア別コンテンツサーバ装置２に送信すれば、エリア別コンテンツサーバ装置２は、そのアクセス時の時間（Ｔｉｍｅ）と位置情報（Ｐｌａｃｅ）、並びにユーザ属性の情報を含む場合（Ｏｃｃａｓｉｏｎ）の情報を特定することができる。一方で、位置情報送信部３８４は、携帯端末装置３を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報を、通信部３４を介して通信確立した中継サーバ装置５に送出するように構成することもできる。このために、中継サーバ装置５が、アプリケーション画面１０００の提示後にＴＰＯ情報の入力画面（図示せず）を携帯端末装置３に提示するように構成してもよい。
【００７２】
エリア別コンテンツ表示制御部３８５は、通信部３４を介して通信確立した中継サーバ装置５から、当該位置情報に適合するエリア別コンテンツ情報が有るか否かを示す情報を取得し、エリア別コンテンツ情報が有る場合には取得可能であるとして表示制御を行う。ここで、確認画面２０００（後述する図１７参照）を表示部３１に表示することもできる。
【００７３】
一覧画面・検索画面表示制御部３８５１は、表示制御として、取得可能なエリア別コンテンツ情報の一覧画面３０００（後述する図１８参照）や、取得したいエリア別コンテンツ情報の検索画面４０００（後述する図１９参照）を表示部３１に表示する。
【００７４】
検索条件確定部３８５２は、検索画面４０００の表示に伴い、操作部３５からユーザによって入力された検索条件を確定し、通信部３４を介して通信確立済の中継サーバ装置５を経てエリア別コンテンツ提供サーバ装置２に送信する。これにより、エリア別コンテンツ提供サーバ装置２から検索条件に合致するコンテンツ情報を取得する。
【００７５】
検索一覧画面表示制御部３８５３は、検索画面４０００の表示に伴い検索した結果について、検索結果一覧画面５０００（後述する図２０参照）を表示部３１に表示する。
【００７６】
コンテンツ情報保存部３８６は、取得可能なエリア別コンテンツ情報の一覧画面３０００や検索結果一覧画面５０００の表示に伴い、操作部３５からユーザによって選択されたコンテンツ情報の詳細について、詳細情報画面６０００（後述する図２１参照）を表示部３１に表示し、このコンテンツ情報を操作部３５からユーザの指示に応じて記憶部３２の所定の領域に保存する。
【００７７】
クーポン実行制御部３８７は、コンテンツ情報保存部３８６によって保存したコンテンツ情報がクーポンである場合、ユーザの指示に応じて、このクーポンについて実行するよう入出力ＩＦ部３２を制御する。このとき、クーポン使用時にはクーポン使用時画面７０００（後述する図２２参照）が表示部３１に提示され、クーポン使用後にはその旨を知らせるクーポン使用後画面８０００（後述する図２３参照）が表示部３１に表示される。ここで、このクーポンの使用に関する履歴情報（例えば、店舗Ａで取得したクーポンを店舗Ｂで使用した日時と、クーポンを発行した店舗情報と、このクーポンが使用された店舗情報とを含む情報）は、エリア別コンテンツ提供サーバ装置２に送信され管理される。
【００７８】
このようにして、携帯端末装置３は、エリア別コンテンツ提供サーバ装置２とネットワーク７で接続される中継サーバ装置５から、当該地域ごとのコンテンツ情報を無線ＬＡＮ通信で取得可能とし、特に、自装置の振動を検知して中継サーバ装置５との無線ＬＡＮ通信を確立し、当該通信を確立した中継サーバ装置５を介してエリア別コンテンツ提供サーバ装置２が配信する当該地域ごとのコンテンツ情報を取得して表示する。
【００７９】
〔中継サーバ装置５の構成〕
次に、本実施形態の中継サーバ装置５の構成について説明する。図５は、本発明による一実施形態の中継サーバ装置５の構成図である。中継サーバ装置５は、放送波受信部５１と、ネットワーク通信部５２と、無線ＬＡＮ通信部５３と、制御部５４と、表示装置５５と、中継サーバ装置識別子記憶部５６と、エリア別コンテンツ情報ＤＢ５７と、位置情報記憶部５８とを備える。制御部５４は、放送コンテンツ情報記憶・再生制御部５４１と、エリア別コンテンツ情報抽出部５４２と、エリア別コンテンツ情報記憶制御部５４３と、無線ＬＡＮ通信確立部５４４と、位置情報取得部５４５と、エリア別コンテンツ情報確定部５４６と、エリア別コンテンツ情報送信部５４７とを備える。
【００８０】
放送波受信部５１は、放送システム４からの放送波を所定のアンテナ（図示せず）を介して受信し、受信した放送波から得られる放送コンテンツ情報を制御部５４に送出する。
【００８１】
ネットワーク通信部５２は、ネットワーク７を経て、エリア別コンテンツ提供サーバ装置２との相互通信を行い、データの送受を行う。特に、エリア別コンテンツ提供サーバ装置２が配信する当該地域ごとのコンテンツ情報は制御部５４に送出され、制御部５４の制御によりエリア別コンテンツ情報ＤＢ５７に格納される。
【００８２】
無線ＬＡＮ通信部５３は、携帯端末装置３との無線ＬＡＮ通信を行い、ネットワーク７を介してエリア別コンテンツ提供サーバ装置２との相互通信を可能とする。特に、携帯端末装置３から、無線ＬＡＮ通信の確立要求を受け付け、中継サーバ装置５、又はエリア別コンテンツ提供サーバ装置２が保持するエリア別コンテンツ情報の送信を行うための通信を行う。
【００８３】
制御部５４は、放送波受信部５１、ネットワーク通信部５２、無線ＬＡＮ通信部５３、制御部５４、表示装置５５、中継サーバ装置識別子記憶部５６、エリア別コンテンツ情報ＤＢ５７及び位置情報記憶部５８を制御して、以下に説明する機能を実現する。
【００８４】
放送コンテンツ情報記憶・再生制御部５４１は、放送システム４からの受信した放送波から得られる放送コンテンツ情報を記憶したり、表示装置５５に再生したりする制御を行う。この放送コンテンツは、放送システム４にネットワーク７で接続されるエリア別コンテンツ提供サーバ装置７から提供された放送地域のエリア別コンテンツ情報として構成される。放送システム４は、当該地域ごとのコンテンツ情報について、中継サーバ装置５を識別する識別子を付して予め定めた放送スケジュールに従って放送波により配信しており、放送コンテンツ情報記憶・再生制御部５４１は、放送波受信部５１を介して放送スケジュールに従って当該地域ごとのコンテンツ情報を取得し、取得した当該地域ごとのコンテンツ情報を記憶しておき、予め定めた再生スケジュールに従って当該地域ごとのコンテンツに係る情報を表示装置５５で再生する。このため、携帯端末装置３は、エリア別コンテンツ表示制御部３８５により中継サーバ装置５に記憶された当該地域ごとのコンテンツ情報を当該再生時に取得することができる。尚、中継サーバ装置５は、放送波受信部５１及び表示装置５５、並びに放送コンテンツ情報記憶・再生制御部５４１を必ずしも備えていなくともよいが、これらを備えている場合、中継サーバ装置５はデジタルサイネージとして構成することができる。
【００８５】
エリア別コンテンツ情報抽出部５４２は、中継サーバ装置識別子記憶部５６に記憶された自装置の識別子（図６参照）にしたがって、エリア別コンテンツ提供サーバ装置２又は放送システム４から配信される特定地方におけるコンテンツ情報から、当該地域のエリア別コンテンツ情報を抽出してエリア別コンテンツ情報記憶制御部５４３に送出する。
【００８６】
エリア別コンテンツ情報記憶制御部５４３は、エリア別コンテンツ情報抽出部５４２によって抽出したエリア別コンテンツ情報をエリア別コンテンツ情報ＤＢ５７に記憶する。エリア別コンテンツ情報として、例えば店舗Ａのコンテンツ情報（お得情報）や、店舗Ｂ及び店舗Ｃのコンテンツ情報（クーポン）について、それぞれコンテンツ識別子が付与されており、エリア別コンテンツ情報ＤＢ５７に記憶される（図７参照）。本例では、中継サーバ装置５が、エリア別コンテンツ提供サーバ装置２又は放送システム４から配信される特定地方におけるコンテンツ情報から当該地域のエリア別コンテンツ情報を定期的に抽出して保存する例を説明しているが、中継サーバ装置５が、エリア別コンテンツ提供サーバ装置２によって既に抽出された当該地域のエリア別コンテンツ情報を、定期的に又は携帯端末装置３との無線ＬＡＮ通信の確立後に取得して保存するように構成することもできる。エリア別コンテンツ提供サーバ装置２は、携帯端末装置３から得られる位置情報や中継サーバ装置５が位置情報記憶部５８に保持する位置情報（図８参照）を用いることで当該地域のエリア別コンテンツ情報を抽出して、中継サーバ装置５に送信することができる。
【００８７】
無線ＬＡＮ通信確立部５４４は、携帯端末装置３との無線ＬＡＮ通信の確立を行う。
【００８８】
位置情報取得部５４５は、携帯端末装置３から、携帯端末装置３の位置情報を取得し、エリア別コンテンツ情報確定部５４６に送出する。尚、携帯端末装置３の位置情報を取得する代わりに、中継サーバ装置５が保持する位置情報を携帯端末装置３の位置情報として処理するように構成することができる。また、携帯端末装置３から位置情報を取得する代わりに、携帯端末装置３によって指定される検索条件の情報を取得する。
【００８９】
エリア別コンテンツ情報確定部５４６は、携帯端末装置３の位置情報を基に、エリア別コンテンツ情報ＤＢ５７を検索して、エリア別コンテンツ情報ＤＢ５７に記憶されたエリア別コンテンツ情報（例えば、特定地方におけるエリア別コンテンツ情報）のうち当該位置情報を基準にした直近のエリア（例えば、半径５ｋｍ以内）の情報を特定の地域のエリア別コンテンツ情報として確定し、エリア別コンテンツ情報送信部５４７に送信する。本例では、中継サーバ装置５がエリア別コンテンツ情報ＤＢ５７に保持された特定地方におけるエリア別コンテンツ情報のうち、位置情報に基づく特定の地域のコンテンツ情報を再抽出する例を説明しているが、エリア別コンテンツ情報ＤＢ５７に保持する情報を特定の地域のエリア別コンテンツ情報とし、このエリア別コンテンツ情報をエリア別コンテンツ情報送信部５４７に送信するように構成してもよい。エリア別コンテンツ情報ＤＢ５７に保持する情報は、後述するようにエリア別コンテンツ提供サーバ装置２によって管理することができるためである。また、中継サーバ装置５が、エリア別コンテンツ提供サーバ装置２によって既に抽出された当該地域のエリア別コンテンツ情報を、定期的に又は携帯端末装置３との無線ＬＡＮ通信の確立後に取得して保存するように構成することもできる。エリア別コンテンツ提供サーバ装置２は、携帯端末装置３から得られる位置情報や中継サーバ装置５が位置情報記憶部５８に保持する位置情報（図８参照）を用いることで当該位置情報を基準にした直近のエリア（例えば、半径５ｋｍ以内）のエリア別コンテンツ情報を抽出して、中継サーバ装置５に送信することができる。また、エリア別コンテンツ情報確定部５４６は、携帯端末装置３を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて地域ごとのコンテンツ情報を選定し、エリア別コンテンツ情報送信部５４７に送出する機能を有するように構成することができる。
【００９０】
エリア別コンテンツ情報送信部５４７は、エリア別コンテンツ情報確定部５４６によって確定したエリア別コンテンツ情報を、無線ＬＡＮ通信部５３を介して携帯端末装置３に送出する。また、エリア別コンテンツ情報送信部５４７は、エリア別コンテンツ提供サーバ装置２から、クーポンを発行した店舗とクーポンが使用された店舗との間での実績を示す履歴情報を取得して、配信するコンテンツの内容、配信するコンテンツの表示順序、又は当該配信するコンテンツに係る特定の地域の設定を動的に変更する機能を有するように構成することができる。
【００９１】
このようにして、中継サーバ装置５は、エリア別コンテンツ提供サーバ装置２によって配信される当該地域ごとのコンテンツ情報をエリア別コンテンツ情報ＤＢ５７に予め保持しておき、自装置の振動を検知して無線ＬＡＮ通信を確立する携帯端末装置３に対して、中継サーバ装置５に予め保持されている当該地域ごとのコンテンツ情報を送信するように構成することができる。また、中継サーバ装置５は、エリア別コンテンツ提供サーバ装置２によって配信される特定地方における地域ごとのコンテンツ情報をエリア別コンテンツ情報ＤＢ５７に予め保持しておき、携帯端末装置３の位置情報を基に携帯端末装置３に送信する当該地域ごとのコンテンツ情報を決定するように構成することができる。
【００９２】
〔エリア別コンテンツ提供サーバ装置２の構成〕
次に、本実施形態のエリア別コンテンツ提供サーバ装置２の構成について説明する。図９は、本発明による一実施形態のエリア別コンテンツ提供サーバ装置２の構成図である。エリア別コンテンツ提供サーバ装置２は、ネットワーク通信部２１と、制御部２２と、エリア別コンテンツ情報ＤＢ２３と、放送用制御情報ＤＢ２４とを備える。制御部２２は、エリア別コンテンツ情報管理部２２１と、エリア別コンテンツ情報送信部２２２と、放送用制御情報管理部２２３とを備える。
【００９３】
ネットワーク通信部２１は、ネットワーク７を経て、放送システム４や中継サーバ装置５との相互通信を行い、データの送受を行う。特に、エリア別コンテンツ提供サーバ装置２が配信する当該地域ごとのコンテンツ情報は制御部２２によって管理され、制御部２２の制御によりエリア別コンテンツ情報ＤＢ２３から適宜読み出される。
【００９４】
制御部２２は、携帯端末装置３からの要求に応じて、携帯端末装置３の位置情報に基づいたエリア別コンテンツ情報を提供するように構成される。尚、中継サーバ装置５の位置情報に基づいたエリア別コンテンツ情報を定期的に中継サーバ装置５に配信して、中継サーバ装置５に保持させることもできる。
【００９５】
エリア別コンテンツ情報管理部２２１は、エリア別コンテンツ情報ＤＢ２３に格納される地域ごとのコンテンツ情報を管理する。エリア別コンテンツ情報ＤＢ２３には、特定の地域ごとの識別子（エリアＩＤ）と、各地域に属する位置情報（携帯端末装置３や中継サーバ装置５の位置情報）と、各地域に属するコンテンツ情報とをコンテンツ識別子で関連付けて保持されており（図１０（Ａ）参照）、各コンテンツ識別子は、エリア別コンテンツ情報の詳細情報と、コンテンツ情報の種別（検索条件の情報ともなる）とを関連付けて保持されている（図１０（Ｂ）参照）。また、エリア別コンテンツ情報管理部２２１は、地域ごとのコンテンツ情報が当該地域に属する店舗のクーポンからなる際に、クーポンを発行した店舗とクーポンが使用された店舗との間での実績を示す履歴情報を収集及び記録して管理する機能を有するように構成することができる。
【００９６】
エリア別コンテンツ情報送信部２２２は、携帯端末装置３からの要求に応じて、エリア別コンテンツ情報管理部２２１と協働し、ネットワーク通信部２１を介して携帯端末装置３の位置情報に基づいたエリア別コンテンツ情報を中継サーバ装置識別子で識別される中継サーバ装置５を介して提供する機能を有する。また、エリア別コンテンツ情報送信部２２２は、エリア別コンテンツ情報管理部２２１と協働し、ネットワーク通信部２１を介して中継サーバ装置５の位置情報や中継サーバ装置識別子に基づいたエリア別コンテンツ情報を定期的に中継サーバ装置５に配信する機能を有する。また、エリア別コンテンツ情報送信部２２２は、エリア別コンテンツ情報管理部２２１及び放送用制御情報管理部２２３と協働し、放送システム４に対して、ネットワーク通信部２１を介して、放送スケジュールに従って放送波により配信するための放送用コンテンツ情報（放送地域のエリア別コンテンツ情報）と、所定の放送用制御情報（図１１参照）を送信する機能を有する。また、エリア別コンテンツ情報送信部２２２は、携帯端末装置３を利用する時間（Ｔｉｍｅ）、位置情報（Ｐｌａｃｅ）及びユーザ属性の情報を含む場合（Ｏｃｃａｓｉｏｎ）を表す情報であるＴＰＯ情報に基づいて地域ごとのコンテンツ情報を選定する機能を有するように構成することができる。また、エリア別コンテンツ情報送信部２２２は、エリア別コンテンツ情報管理部２２１によって管理される、クーポンを発行した店舗とクーポンが使用された店舗との間での実績を示す履歴情報について、履歴情報を基に、配信するコンテンツの内容、配信するコンテンツの表示順序、又は当該配信するコンテンツに係る特定の地域の設定を動的に変更する機能を有するように構成することができる。
【００９７】
放送用制御情報管理部２２３は、放送用制御情報ＤＢ２４に格納される放送用制御情報を管理する。図１１に示すように、放送用制御情報ＤＢ２４には、コンテンツ識別子と、中継サーバ装置を識別する中継サーバ装置識別子と、放送スケジュールと、再生スケジュールと、コンテンツの属性を示す属性情報と、エリア別コンテンツ情報の詳細情報とを関連付けて保持されている。放送スケジュールは、何時から何時のように時間で指定されている。日付の指定が含まれてもよい。再生スケジュールは、何時から何時のように時間で指定する場合や、何時から何回繰り返しのように再生の方法を指定する場合が考えられる。日付の指定や日付の範囲の指定が含まれてもよい。中継サーバ装置識別子は、１つの識別子が１つの中継サーバ装置５に対応していてもよいし、１つの識別子が複数の中継サーバ装置５のグループに対応していてもよい。また、コンテンツ識別子は、１つのコンテンツ情報に１つの識別子が与えられていてもよいし、複数のコンテンツ情報のグループに対して１つの識別子を与えてもよい。属性情報は、対応するコンテンツ情報が動画であるか静止画であるか等のフォーマット情報と、そのコンテンツ情報の種別（MPG、WMV、JPGなどのファイルタイプ）とを含んでいる。尚、放送システム４を介してコンテンツを配信する構成は、前述の先行技術文献（特開２０１０−２１９００号公報）と同様に構成することができる。
【００９８】
このようにして、エリア別コンテンツ提供サーバ装置２は、特定の地域ごとのコンテンツ情報について、ネットワーク７で接続された当該地域に配置される中継サーバ装置５に対して中継サーバ装置５を識別して、無線ＬＡＮ通信を確立する携帯端末装置３に配信することができる。
【００９９】
〔放送システム４の構成〕
次に、本実施形態の放送システム４の構成について説明する。放送システム４は、放送局に設置される。図１２は、本発明による一実施形態の放送システム４の構成図である。放送システム４を介してコンテンツを配信する構成は、前述の先行技術文献（特開２０１０−２１９００号公報）と同様に構成することができ、ここではその概略を説明する。放送システム４は、ネットワーク通信部４１と、制御部４２と、エリア別コンテンツ情報記憶部４３と、放送用制御情報記憶部４４とを備える。制御部４２は、放送波生成部４２１と、エリア別コンテンツ情報記憶制御部４２２と、放送用制御情報記憶制御部４２３とを備える。
【０１００】
ネットワーク通信部４１は、ネットワーク７を経て、エリア別コンテンツ提供サーバ装置２との相互通信を行い、データの送受を行う。特に、エリア別コンテンツ提供サーバ装置２が配信する放送用コンテンツ情報（放送地域のエリア別コンテンツ情報）と放送用制御情報は、制御部４２によって管理される。
【０１０１】
制御部４２は、エリア別コンテンツ情報記憶制御部４２２によりエリア別コンテンツ提供サーバ装置２から取得した放送用コンテンツ情報（放送地域のエリア別コンテンツ情報）を放送用制御情報記憶部４４に格納して保持しておくとともに、放送用制御情報記憶制御部４２３によりエリア別コンテンツ提供サーバ装置２から取得した放送用制御情報を放送用制御情報記憶部４４に保持しておく。
【０１０２】
放送波生成部４２１は、マルチ編成放送時のＳＤＴＶ（Standard Definition Television）で放送を行なっている場合、図１３（Ａ）に示すように、２チャンネル分で通常放送を行なうと共に、通常放送を行なっていない残り１チャンネル分で放送用コンテンツ情報（放送地域のエリア別コンテンツ情報）を放送する。また、放送用制御情報は、データ放送帯域で放送する。この放送用制御情報は、ＢＭＬ（Broadcast Markup Language）で記述される。尚、マルチ編成放送時のＳＤＴＶの全チャンネルを通常放送に使っている場合や、ＨＤＴＶ（High Definition Television）で通常放送を行なっている場合でも、データ放送帯域を利用して情報提供を行なうことができる。
【０１０３】
放送波生成部４２１は、データ放送のみで情報配信を行う場合、図１３（Ｂ）に示すように、コンテンツ情報と制御情報との両方をデータ放送帯域にのせて送出する。データ放送のデータはＢＭＬで記述する。このＢＭＬの記述にコンテンツ情報をモノメディアとして埋め込み、データ放送帯域で送出する。コンテンツ情報は、分割して埋め込んでもよい。この場合、分割したコンテンツ情報を中継サーバ装置５側で結合するために、分割したコンテンツ情報の各ＢＭＬファイル間にリンクを設定する。又は、分割したコンテンツ情報の各ＢＭＬファイルに共通のコンテンツ情報識別子を付加しておく。また、コンテンツ情報と制御情報とを関連付けて送出するために、両者のＢＭＬファイル間にリンクを設定する。又は、両者のＢＭＬファイルに共通のコンテンツ情報識別子を付加しておく。
【０１０４】
中継サーバ装置５における放送コンテンツ情報記憶・再生制御部５４１は、ＢＭＬブラウザを備えており、この放送用制御情報を取得して予め保持しておき、放送用制御情報に記述された放送スケジュールを監視する。放送波生成部４２１は、放送スケジュールに従ってコンテンツ情報を送出すべく放送波を生成し、放送する。中継サーバ装置５における放送コンテンツ情報記憶・再生制御部５４１は、自装置を識別する中継サーバ装置識別子を記憶した端末識別子記憶部５６を参照して、この自装置の端末識別子と一致する識別子が付与された放送スケジュール（放送時間）が到来すると、その放送スケジュールの間に送られている放送波からコンテンツ情報を選択的に取得し、所定の記憶部（図示せず）に格納する。この際、コンテンツ情報には、放送用制御情報に記述されたコンテンツ識別子と同一のコンテンツ識別子が付加される。
【０１０５】
一方、中継サーバ装置５における放送コンテンツ情報記憶・再生制御部５４１は、放送用制御情報に記述された再生スケジュールを監視しており、この再生スケジュールに従って、記憶しておいたコンテンツ情報を読み出して表示装置５５（音声再生機能を含めてもよい）から再生する。再生スケジュールに従って、同一のコンテンツ情報が繰り返し再生される。
【０１０６】
このようにして、放送システム４は、当該地域ごとのコンテンツ情報について、中継サーバ装置５を識別する識別子を付して予め定めた放送スケジュールに従って放送波により配信し、予め定めた再生スケジュールに従って当該地域ごとのコンテンツに係る情報を中継サーバ装置５で表示装置５５に再生可能にする。このため、携帯端末装置３は、エリア別コンテンツ表示制御部３８５により中継サーバ装置５に記憶された当該地域ごとのコンテンツ情報を当該再生時に取得することができる。
【０１０７】
〔情報の流れ〕
次に、図１に示したエリア別コンテンツ配信システム１に係るエリア別コンテンツ提供サーバ装置２、携帯端末装置３、放送システム４及び中継サーバ装置５の間で送受信される情報の流れについて説明する。図１４は、情報の流れを示すシーケンス図である。
【０１０８】
本例では、代表的に、エリア別コンテンツ提供サーバ装置２が、中継サーバ装置５にエリア別コンテンツ情報を予め保持させる例について説明する。
【０１０９】
エリア別コンテンツ提供サーバ装置２は、放送システム４を介して中継サーバ装置５が保持するエリア別コンテンツ情報を定期的に更新する（ステップＳ１１，Ｓ１２）か、又はネットワーク通信で、中継サーバ装置５が保持するエリア別コンテンツ情報を定期的に更新する（ステップＳ１３）。
【０１１０】
中継サーバ装置５は、制御部５４の機能により、エリア別コンテンツ提供サーバ装置２から配信されるエリア別コンテンツ情報をエリア別コンテンツ情報ＤＢ５７に格納して蓄積する（ステップＳ１４）。
【０１１１】
携帯端末装置３は、自装置の振動を検知して、例えば１秒間あたり角度１０°以上の動きを２回以上繰り返したか否かを判定し、この振動があったと判定した場合、当該振動情報を真として確定し、ユーザが当該地域ごとのコンテンツ情報の取得を要望していると判断する（ステップＳ１５）。
【０１１２】
続いて、携帯端末装置３は、中継サーバ装置５との無線ＬＡＮ通信を確立し（ステップＳ１６，Ｓ１７）、ＧＰＳから、又は中継サーバ装置５から携帯端末装置３の位置情報を確定する（ステップＳ１８）。
【０１１３】
続いて、携帯端末装置３は、確定した位置情報を中継サーバ装置５に送信し（ステップＳ１９）、中継サーバ装置５は、当該位置情報に応じたエリア別コンテンツ情報が有る場合に、当該位置情報に応じたエリア別コンテンツ情報を確定して抽出し携帯端末装置３に送信する（ステップＳ２０，Ｓ２１）。
【０１１４】
続いて、携帯端末装置３は、当該位置情報に応じたエリア別コンテンツ情報の表示処理を行い（ステップＳ２２）、所望するエリア別コンテンツ情報について保存処理を行う（ステップＳ２３）。
【０１１５】
尚、ステップＳ１９の後、中継サーバ装置５は、当該位置情報に応じたエリア別コンテンツ情報が無い場合に、その位置情報か、又はユーザが指定する所定の検索条件の情報をエリア別コンテンツ提供サーバ装置２に送出する（ステップＳ２４）。
【０１１６】
続いて、エリア別コンテンツ提供サーバ装置２は、当該位置情報に応じたエリア別コンテンツ情報や、検索条件の情報に合致するエリア別コンテンツ情報について、エリア別コンテンツＤＢ２３を検索して抽出し（ステップＳ２５）、携帯端末装置３に送信するために、抽出したエリア別コンテンツ情報を中継サーバ装置５に送信する（ステップＳ２６）。
【０１１７】
ここで、エリア別コンテンツ提供サーバ装置２は、携帯端末装置３のユーザが本システムを利用する時間（Ｔｉｍｅ）、携帯端末装置３の位置情報（Ｐｌａｃｅ）及び携帯端末装置３のユーザ属性を含む場合（Ｏｃｃａｓｉｏｎ）を表す情報であるＴＰＯ情報を基に、携帯端末装置３に提示するエリア別コンテンツ情報を確定して送信するように構成することもできる。特に、場合（Ｏｃｃａｓｉｏｎ）の情報は、携帯端末装置３を介して本発明に係るシステムを利用するユーザの属性（例えば、主婦、学生、サラリーマン、年齢、性別等）の情報を含む。例えば、時間（Ｔｉｍｅ）の情報を基にする「日時」や「時間帯」、位置情報（Ｐｌａｃｅ）又は中継サーバ装置識別子を基にする「店舗の場所」（又は「エリアＩＤ」）、場合（Ｏｃｃａｓｉｏｎ）の情報を基にする「ユーザ属性」を定義しておき、「時間帯」、「エリアＩＤ」及び「ユーザ属性」の組み合わせごとに、携帯端末装置３を利用するユーザにとって「必要な地域ごとのコンテンツ」を判別し、ユーザに応じて動的に変更して提供することができる。尚、ユーザ属性の情報は、本システムを利用するユーザとして予めユーザ登録しておくことができ、エリア別コンテンツ提供サーバ装置２によって管理すればよい。また、携帯端末装置３のアクセスのたびに、エリア別コンテンツ提供サーバ装置２がＴＰＯ情報を受け取るような構成としてもよい。
【０１１８】
このように、本発明に係る携帯端末装置３では、特定の地域におけるデジタル広告等のコンテンツ情報を取得するために或る店舗（例えば、店舗Ａ）の入り口や店舗内で携帯端末装置３の「コヅチを振る動作」を行うだけで中継サーバ装置５との無線ＬＡＮ通信を確立するため、中継サーバ装置５の設置位置を把握する必要がなく、さらには非接触ＩＣカードリーダによるアクセスやＱＲコード（登録商標）の読み取り等の煩わしい動作も必要なくなる。また、本発明に係る携帯端末装置３は、店舗Ａで通信確立した中継サーバ装置５を介して、他の店舗（例えば、店舗Ｂや店舗Ｃ）に関するコンテンツ（例えば、商品やサービスのお得情報やクーポン）の取得も可能となり、携帯端末装置３を利用するユーザの利便性が高まるとともに、事業者側としては地域に適したコンテンツの管理や配信の効率が高まるようになる。
【０１１９】
〔携帯端末装置３の処理〕
次に、図４に示す携帯端末装置３の処理について詳細に説明する。図１５は、携帯端末装置３の処理を説明するフローチャートである。
【０１２０】
携帯端末装置３は、振動情報確定部３８１により、自装置の振動を検知して、例えば１秒間あたり角度１０°以上の動きを２回以上繰り返したか否かを判定し、この振動があったと判定した場合、当該振動情報を真として確定し、ユーザが当該地域ごとのコンテンツ情報の取得を要望していると判断する（ステップＳ５１）。
【０１２１】
続いて、携帯端末装置３は、無線ＬＡＮ通信確立部３８２により、中継サーバ装置５との無線ＬＡＮ通信を確立し（ステップＳ５２）、アプリケーション画面１０００（図１６参照）を表示部３１に表示する。
【０１２２】
図１６に例示するように、携帯端末装置３の表示部３１には、携帯端末装置３に対して「コヅチを振る動作」を行うだけで起動したアプリケーション画面１０００が提示される。続いて、位置情報取得部３７により、自装置の位置情報を取得して一時保持する。
【０１２３】
続いて、携帯端末装置３は、位置情報確定部３８３により、位置情報取得部３７から得られる位置情報を自装置の位置情報として確定するか、又は通信部３４を介して中継サーバ装置５から得られる位置情報を自装置の位置情報として確定し、中継サーバ装置５又はエリア別コンテンツ提供サーバ装置２に送信する（ステップＳ５３）。上述したように、自装置の位置情報は、無線ＬＡＮ通信を確立した中継サーバ装置５から取得する方法と、自装置の位置情報取得部３７で取得する方法とがある。いずれの方法でも位置情報を取得できる場合には、いずれかの方法で取得した位置情報を、自装置の位置情報として確定するように予め定めるか、又は選択可能に設定できるようにする。
【０１２４】
続いて、携帯端末装置３は、エリア別コンテンツ表示制御部３８５により、通信部３４を介して通信確立した中継サーバ装置５から、当該位置情報に適合するエリア別コンテンツ情報が有るか否かを示す情報を取得し、エリア別コンテンツ情報が有る場合には取得可能であるとして表示制御を行う（ステップＳ５４）。ここで、確認画面２０００（図１７参照）を表示部３１に表示する（ステップＳ５５）。ユーザは、操作部３５により取得可能なエリア別コンテンツ情報の一覧を表示するか否かを指定する（ステップＳ５６）。
【０１２５】
図１７に例示するように、携帯端末装置３の表示部３１には、確認画面２０００が提示される。ユーザは、“キャンセル（Ｃａｎｃｅｌ）”ボタン２００２を押下して一覧表示を非選択とするか、“確認する”ボタン２００３を押下して一覧表示を選択するかを指定することができる。
【０１２６】
続いて、携帯端末装置３は、エリア別コンテンツ表示制御部３８５により、ユーザが取得可能なエリア別コンテンツ情報の一覧を表示する旨を指定する場合（ステップＳ５６：Ｙ）、エリア別コンテンツ情報の一覧画面３０００（図１８参照）を表示部３１に表示する（ステップＳ５７）。
【０１２７】
図１８に例示するように、携帯端末装置３の表示部３１には、エリア別コンテンツ情報の一覧画面３０００が提示される。例えば、“店舗Ａのお得情報”３００５、“店舗Ｂのクーポン”３００６、“店舗Ｃのクーポン”３００６等が表示され、これらのいずれかを選択して、後述する詳細情報画面へと移行することもできる。また、エリア別コンテンツ情報の一覧画面３０００には、クーポン実行画面へと移行する“今使える”ボタン３００１、検索画面に移行する“さがす”ボタン３００１、既に保存済のエリア別コンテンツ情報の一覧画面へと移行する“保存済”ボタン３００３、事業者情報や関連するＵＲＬ情報の画面へと移行するための“ｉｎｆｏ”ボタン３００４が提示される。
【０１２８】
一方、携帯端末装置３は、エリア別コンテンツ表示制御部３８５により、ユーザが取得可能なエリア別コンテンツ情報の一覧を表示しない旨を指定する場合（ステップＳ５６：Ｎ）、取得したいエリア別コンテンツ情報の検索画面４０００（図１９参照）を表示部３１に表示する（ステップＳ５８）。ユーザは、操作部３５により取得したいエリア別コンテンツ情報の検索を行うか否かを指定する（ステップＳ５９）。
【０１２９】
図１９に例示するように、携帯端末装置３の表示部３１には、エリア別コンテンツ情報の検索画面４０００が提示される。例えば、関東・北陸・東北等の広域を指定する“地方”入力欄４００５、特定の地域を指定する“詳細エリア”入力欄４００６、コンテンツのジャンルを指定する“ジャンル”入力欄４００７、事業者の店舗を指定する“店舗名”入力欄４００８、事業者を指定する“会社名”入力欄４００９、事業者が提供するクーポンＩＤを指定する“クーポンＩＤ”入力欄４００５等が表示され、ユーザは、操作部３５により検索条件を入力して検索を実行する。また、エリア別コンテンツ情報の検索画面４０００には、クーポン実行画面へと移行する“今使える”ボタン４００１、検索画面に移行する“さがす”ボタン４００１、既に保存済のエリア別コンテンツ情報の一覧画面へと移行する“保存済”ボタン４００３、事業者情報や関連するＵＲＬ情報の画面へと移行するための“ｉｎｆｏ”ボタン４００４が提示される。
【０１３０】
続いて、携帯端末装置３は、検索条件確定部３８５２により、ユーザが検索希望の場合（ステップＳ５９：Ｙ）、ユーザによって入力された検索条件を確定し、通信部３４を介して通信確立済の中継サーバ装置５を介してエリア別コンテンツ提供サーバ装置２から検索条件に合致するコンテンツ情報を取得し、検索結果を示す検索結果一覧画面５０００（図２０参照）を表示部３１に表示する（ステップＳ６０）。尚、ユーザが検索希望でない場合（ステップＳ５９：Ｎ）、処理を終了する。
【０１３１】
図２０に例示するように、携帯端末装置３の表示部３１には、検索結果一覧画面５０００が提示される。例えば、“店舗Ｃのクーポン”５００５等が表示され、これらのいずれかを選択して、後述する詳細情報画面へと移行することもできる。また、検索結果一覧画面５０００には、クーポン実行画面へと移行する“今使える”ボタン５００１、検索画面に移行する“さがす”ボタン５００１、既に保存済のエリア別コンテンツ情報の一覧画面へと移行する“保存済”ボタン５００３、事業者情報や関連するＵＲＬ情報の画面へと移行するための“ｉｎｆｏ”ボタン５００４が提示される。
【０１３２】
続いて、携帯端末装置３は、コンテンツ情報保存部３８６により、取得可能なエリア別コンテンツ情報の一覧画面３０００や検索結果一覧画面５０００の表示に伴い、操作部３５からユーザによって選択されたコンテンツ情報の詳細について、詳細情報画面６０００（図２１参照）を表示部３１に表示し、このコンテンツ情報を操作部３５からユーザの指示に応じて記憶部３２の所定の領域に保存するか否かを判断する（ステップＳ６１）。
【０１３３】
図２１に例示するように、携帯端末装置３の表示部３１には、コンテンツ情報の詳細画面６０００が提示される。例えば、クーポン詳細情報として、店舗Ｃのクーポンに関する詳細６００５や、“保存する”ボタン６００６等が表示され、ユーザは、“保存する”ボタン６００６を押下して、記憶部３２の所定の領域に保存することができる。また、コンテンツ情報の詳細画面６０００には、クーポン実行画面へと移行する“今使える”ボタン６００１、検索画面に移行する“さがす”ボタン６００１、既に保存済のエリア別コンテンツ情報の一覧画面へと移行する“保存済”ボタン６００３、事業者情報や関連するＵＲＬ情報の画面へと移行するための“ｉｎｆｏ”ボタン６００４が提示される。
【０１３４】
続いて、携帯端末装置３は、コンテンツ情報保存部３８６により、ユーザがこのコンテンツ情報を保存希望の場合（ステップＳ６１：Ｙ）、記憶部３２の所定の領域に保存する（ステップＳ６２）。尚、ユーザが保存希望でない場合（ステップＳ６１：Ｎ）、処理を終了する。
【０１３５】
続いて、携帯端末装置３は、クーポン実行制御部３８７により、保存したコンテンツ情報がクーポンであれば、ユーザの指示に応じて、このクーポンについて実行するよう入出力ＩＦ部３２を制御する（ステップＳ６１）。このとき、クーポン使用時にはクーポン使用時画面７０００（図２２参照）が表示部３１に提示され、クーポン使用後にはその旨を知らせるクーポン使用後画面８０００（図２３参照）が表示部３１に表示される。
【０１３６】
図２２に例示するように、携帯端末装置３の表示部３１には、クーポン使用時画面７０００が提示される。例えば、店舗Ｃのクーポンに関する詳細７００５や、対応するＪＡＮコード表示７００６、“使う”ボタン７００７等が表示され、ユーザは、このクーポンについて実行することができる。また、クーポン使用時画面７０００には、クーポン実行画面へと移行する“今使える”ボタン７００１、検索画面に移行する“さがす”ボタン７００１、既に保存済のエリア別コンテンツ情報の一覧画面へと移行する“保存済”ボタン７００３、事業者情報や関連するＵＲＬ情報の画面へと移行するための“ｉｎｆｏ”ボタン７００４が提示される。クーポン使用後には、図２３に例示するように、クーポン使用後画面８０００によってユーザに告知されると同時に、このクーポンの使用に関する履歴情報（例えば、店舗Ａで取得したクーポンを店舗Ｂで使用した日時と、クーポンを発行した店舗情報と、このクーポンが使用された店舗情報とを含む情報）がエリア別コンテンツ提供サーバ装置２に提供される。エリア別コンテンツ提供サーバ装置２は、この履歴情報を蓄積して管理することができる。
【０１３７】
また、詳細に後述するが、エリア別コンテンツ提供サーバ装置２は、携帯端末装置３から得られる時間（Ｔｉｍｅ）、位置情報（Ｐｌａｃｅ）及び場合（Ｏｃｃａｓｉｏｎ）を表す情報であるＴＰＯ情報を基に、携帯端末装置３に提示するエリア別コンテンツ情報を確定して送信するように構成することもできる。したがって、携帯端末装置３は、ＴＰＯ情報に従い「日時」や「時間帯」、「店舗の場所」、「ユーザ属性」を基に決定されたエリア別コンテンツ情報を取得することができる。
【０１３８】
このようにして、携帯端末装置３は、エリア別コンテンツ提供サーバ装置２とネットワーク７で接続される中継サーバ装置５から、当該地域ごとのコンテンツ情報を無線ＬＡＮ通信で取得可能とし、特に、自装置の振動を検知して中継サーバ装置５との無線ＬＡＮ通信を確立し、当該通信を確立した中継サーバ装置５を介してエリア別コンテンツ提供サーバ装置２が配信する当該地域ごとのコンテンツ情報を取得して表示することができる。
【０１３９】
〔エリア別コンテンツ提供サーバ装置２の別の構成〕
次に、本実施形態のエリア別コンテンツ提供サーバ装置２の別の構成について説明する。ここで説明するエリア別コンテンツ提供サーバ装置２は、携帯端末装置３の位置情報を基にエリア別コンテンツ情報を探索して中継サーバ装置５を介して提供したり、携帯端末装置３からの検索条件の情報を基にエリア別コンテンツ情報を探索して中継サーバ装置５を介して提供したりする場合の構成例である。図２４は、本発明による別の一実施形態のエリア別コンテンツ提供サーバ装置２の構成図である。同様な構成要素には同一の参照番号を付している。図２４に示すエリア別コンテンツ提供サーバ装置２は、ネットワーク通信部２１と、制御部２２と、エリア別コンテンツ情報ＤＢ２３とを備える。図２４に示す制御部２２は、エリア別コンテンツ情報管理部２２１と、ユーザ関連情報取得部２２４と、エリア別コンテンツ情報確定部２２５と、エリア別コンテンツ情報送信部２２６とを備える。
【０１４０】
ネットワーク通信部２１、エリア別コンテンツ情報ＤＢ２３、エリア別コンテンツ情報管理部２２１は、図９を参照して説明した内容と同一であり、その詳細を省略する。
【０１４１】
ユーザ関連情報取得部２２４は、携帯端末装置３から中継サーバ装置５を介して、携帯端末装置３の位置情報又は検索条件の情報、或いはＴＰＯ情報を取得し、エリア別コンテンツ情報確定部２２５に送出する。
【０１４２】
エリア別コンテンツ情報確定部２２５は、携帯端末装置３の位置情報又は検索条件の情報を基に、エリア別コンテンツ情報ＤＢ２３を探索し、当該位置情報やＴＰＯ情報が属するエリアのエリア別コンテンツ情報や、検索条件に合致するエリア別コンテンツ情報を確定し、エリア別コンテンツ情報送信部２２６に送出する。
【０１４３】
エリア別コンテンツ情報送信部２２６は、ネットワーク通信部２１を介して、中継サーバ装置５経由で、確定したエリア別コンテンツ情報を携帯端末装置３に提供する。
【０１４４】
次に、本発明による別の一実施形態のエリア別コンテンツ配信システムについて説明する。図２５は、本発明による別の一実施形態のエリア別コンテンツ配信システムの概略図である。同様な構成要素には同一の参照番号を付している。
【０１４５】
図２５に示す例では、図５で説明した中継サーバ装置５について、図５に示す中継サーバ装置５の構成を有するデジタルサイネージ５‐１と、このデジタルサイネージ５‐１と無線ＬＡＮ通信で接続される１つ以上の無線ＬＡＮルータ５‐２，５‐３・・・により構成した例を示している。例えば、１つの店舗内の入り口に、デジタルサイネージ５‐１を設置し、店舗内の複数箇所に無線ＬＡＮルータ５‐２，５‐３・・・を設置することができる。店舗内の各所に配置するこの無線ＬＡＮルータを無線ＬＡＮ用コンピュータ（例えば、タブレット式の汎用コンピュータ）により構成してもよい。また、図５で説明した中継サーバ装置５を構成する装置とは別に、この図５で説明した中継サーバ装置５を構成する装置と無線ＬＡＮ通信を確立して、当該特定の地域ごとのコンテンツに含まれる特定のコンテンツの概要を表示するデジタルサイネージ５‐１、及び、当該特定のコンテンツに関するコンテンツ詳細情報を表示する無線ＬＡＮ用コンピュータを設けた構成としてもよい。例えば、店舗の入り口に当該特定の地域ごとのコンテンツに含まれる特定のコンテンツ（本例では自店舗のコンテンツ）の概要を表示するデジタルサイネージ５‐１（セントラルデジタルサイネージ）を１つ以上設置し、店舗内の商品等の棚付近に当該自店舗のコンテンツに関するコンテンツ詳細情報を表示するタブレット式の無線ＬＡＮ用コンピュータ（コーナーデジタルサイネージ）を設置する。セントラルデジタルサイネージ５‐１では、各種のコンテンツ情報の概要（例えば１５秒くらいの商品紹介コマーシャル）を表示し、コーナーデジタルサイネージでは、商品やサービスごとのコンテンツ詳細情報を表示する。このように、各種のコンテンツ情報に関するコンテンツ詳細情報について、そのコンテンツに係る商品やサービスの位置ごとに分散してコーナーデジタルサイネージで表示することができ、ユーザの店舗内の回遊を高め、ユーザが店舗内を歩いているときにコーナーデジタルサイネージを観ることで購買等が喚起される。このようにして、ユーザは、店舗Ａにおけるあらゆる位置でデジタルサイネージ５‐１との通信を確立し、このデジタルサイネージ５‐１を介して、他の店舗（例えば、店舗Ｂや店舗Ｃ）に関するコンテンツ（例えば、商品やサービスのお得情報やクーポン）の取得も可能となり、携帯端末装置３を利用するユーザの利便性が高まるとともに、事業者側としては地域に適したコンテンツの管理や配信の効率が高まるようになる。また、携帯端末装置３は、ＧＰＳ衛星装置３から位置情報を取得したり、無線ＬＡＮルータ５‐２等を介してデジタルサイネージ５‐１から位置情報を取得したりすることもできる。
【０１４６】
このデジタルサイネージ５‐１は、上述の先行技術文献（特開２０１０−１０９６１３号公報）に開示される技術を応用して、図２６に示すように構成することもできる。図２６は、本発明による別の一実施形態のエリア別コンテンツ配信システムにおける中継サーバ装置５として機能するデジタルサイネージ５‐１の一例を示すブロック図である。
【０１４７】
デジタルサイネージ５‐１は、図５で説明した中継サーバ装置５と比較して、位置情報取得部５４５の代わりに、携帯端末装置３の時間（Ｔｉｍｅ）、位置情報（Ｐｌａｃｅ）及び場合（Ｏｃｃａｓｉｏｎ）を表す情報であるＴＰＯ情報を確定するＴＰＯ情報確定部５４８が設けられている点で相違する。本発明における場合（Ｏｃｃａｓｉｏｎ）の情報とは、上述したように、携帯端末装置３を介して本発明に係るシステムを利用するユーザの属性（例えば、主婦、学生、サラリーマン、年齢、性別等）の情報を含んでいる。
【０１４８】
このデジタルサイネージ５‐１では、エリア別コンテンツ情報確定部５４６は、ＴＰＯ情報確定部５４８で確定したＴＰＯ情報を基にエリア別コンテンツ情報ＤＢ５７を探索し、携帯端末装置３に提示するエリア別コンテンツ情報を確定する。
【０１４９】
ＴＰＯ情報確定部５４８で取得する位置情報については、上述と同様に、ＧＰＳ又は位置情報記憶部５８に格納される位置情報を基に確定される。ＴＰＯ情報確定部５４８で取得する時間（Ｔｉｍｅ）の情報については、携帯端末装置３との通信やデータのやり取りを行った時刻（例えば、無線ＬＡＮ通信確立部５４４で無線ＬＡＮ通信を確立した時刻）として確定される。ＴＰＯ情報確定部５４８で確定するユーザ属性を含む場合（Ｏｃｃａｓｉｏｎ）の情報については、予めユーザ登録された情報を保持しておくか、或いは、無線ＬＡＮ通信の確立後に、携帯端末装置３に場合（Ｏｃｃａｓｉｏｎ）の情報を入力させる画面提示を行うか、又は表示装置５５に場合（Ｏｃｃａｓｉｏｎ）の情報を入力させる画面提示を行ない、携帯端末装置３からの通信での情報取得や、デジタルサイネージ５‐１の画面操作（図示せず）を経て、携帯端末装置３を利用するユーザに関する場合（Ｏｃｃａｓｉｏｎ）の情報取得により確定される。
【０１５０】
エリア別コンテンツ情報ＤＢ５７は、ＴＰＯ情報に応じて予め関連付けられたコンテンツ識別子ごとのコンテンツ情報が格納される。この「ＴＰＯ情報に応じて予め関連付けられたコンテンツ識別子ごとのコンテンツ情報」は、上述と同様に、エリア別コンテンツ提供サーバ装置２によって管理され、逐次更新される。例えば、時間（Ｔｉｍｅ）の情報を基にする「日時」や「時間帯」、位置情報（Ｐｌａｃｅ）又は中継サーバ装置識別子を基にする「店舗の場所」（又は「エリアＩＤ」）、場合（Ｏｃｃａｓｉｏｎ）の情報を基にする「ユーザ属性」を定義しておき、「時間帯」、「エリアＩＤ」及び「ユーザ属性」の組み合わせごとに、携帯端末装置３を利用するユーザに提示する「必要な地域ごとのコンテンツ」を決定するデータベースを構成しておくようにする。
【０１５１】
また、中継サーバ装置５（又はデジタルサイネージ５‐１）を単なるネットワーク通信の中継装置として、携帯端末装置３とエリア別コンテンツ提供サーバ装置２との間の通信で、ＴＰＯ情報に応じて予め関連付けられたコンテンツ識別子ごとのコンテンツ情報を提供するように構成することもできる。
【０１５２】
例えば、エリア別コンテンツ提供サーバ装置２は、図２７に示すように「ユーザ属性」によってもエリア別コンテンツ情報を区別するエリア別コンテンツ情報ＤＢ２３を構築しておき、ＴＰＯ情報の確定後に、中継サーバ装置５（又はデジタルサイネージ５‐１）に配信するか、又は直接の通信で携帯端末装置３に配信することができる。例えば、店舗Ｃ（例えば、ドラッグストア）にて女性がアクセスした場合は、近隣の店舗Ｄ（例えば、美容院）のクーポンを提示し、店舗Ｃ（例えば、ドラッグストア）にて男性がアクセスした場合は、近隣の店舗Ｅ（例えば、ファーストフード店）のクーポンを提示することができるようになる。
【０１５３】
このように、ＴＰＯ情報から特定される「店舗の場所」、「日時」、「時間帯」、「ユーザ属性」によって、提示するコンテンツ情報を変更することができるようになる。
【０１５４】
例えば、ＴＰＯ情報によって特定される「店舗の場所」、「日時」、「時間帯」、「ユーザ属性」によって、提示するクーポンを主婦向け、サラリーマン向け等で分けて表示したり、表示する順番を変えたりすることができるようになり、ユーザにとって「必要な地域ごとのコンテンツ」として、動的に変化させることができる。
【０１５５】
さらに、特定の店舗や場所によって、提携している店舗、距離的に近い店舗、クーポン配布効果が配布元の特定の店舗と売上効果の関連性が高い店舗（例えば、ガソリンスタンドとドラッグストアはクーポン利用率については高いが、ガソリンスタンドとファミリーレストランは効果が低い等）などによって表示するコンテンツを異なるものとすることができ、エリア別コンテンツ提供サーバ装置２は、一括して各エリアで提供するコンテンツ情報を動的に管理することができる。
【０１５６】
さらに、エリア別コンテンツ提供サーバ装置２は、本発明に係るシステムによって提示したコンテンツ情報（お得情報やクーポン等）の利用状況の結果を収集（例えば、ユーザによるクーポン実行の度に、その履歴情報を収集）し、各エリアで提供するコンテンツ情報を動的に変更して更新することもできる。
【０１５７】
前述したように、クーポンの使用に関する履歴情報（例えば、店舗Ａで取得したクーポンを店舗Ｂで使用した日時と、クーポンを発行した店舗情報と、このクーポンが使用された店舗情報とを含む情報）がエリア別コンテンツ提供サーバ装置２に提供される。エリア別コンテンツ提供サーバ装置２は、この履歴情報を蓄積して管理することができる。これは、店舗Ａから店舗Ｂに送客したことを意味しており、店舗Ｂとしてはチラシやインターネットによる店舗紹介よりも、或いは新たな店舗紹介のツールとして更なる集客力が期待できるようになる。
【０１５８】
また、例えば、エリア別コンテンツ提供サーバ装置２のエリア別コンテンツ情報管理部２２１は、予め定めていたエリア内の店舗Ａで取得した店舗Ｂ（例えば、店舗Ａと店舗Ｂは直線距離で５ｋｍ離れた位置の店舗）のクーポンについて、当該エリアから外れた店舗Ｂの関連店舗Ｄ（例えば、店舗Ａと店舗Ｄは直線距離で１０ｋｍ離れた位置の店舗）で使われたという履歴情報を収集し、店舗Ａ及び店舗Ｂの属するエリアＩＤで定めていたエリア別コンテンツ情報を、店舗Ａ、店舗Ｂ及び店舗Ｄの属するエリアＩＤとして新たに更新する。このような利用状況の結果を反映する動態管理を行うようにエリア別コンテンツ提供サーバ装置２を構成することもできる。このような履歴情報の収集は、各店舗を運営する事業者の立地戦略においても有効な情報元ともなる。例えば、エリア別コンテンツ提供サーバ装置２は、履歴情報の記録及び収集による動態管理の一例として、利用状況の結果としての「人の流れ」を所定期間ごとに統計的に算出し、この統計リストを生成する。この統計リストは、各店舗を運営する事業者の立地戦略に役立てることができる。例えば、或る地域のガソリンスタンドからドラッグストアへの人の流れが多いという統計リストの結果が出た時に、このドラッグストアを運営する事業者は、別の地域においても、同様な立地条件（当該ガソリンスタンドが有る立地条件）で、ドラッグストアを設けることが１つの有効な判断材料となる。
【０１５９】
さらに、エリア別コンテンツ提供サーバ装置２で収集した履歴情報から、各店舗における集客状況を把握することもできることから、エリア別コンテンツ提供サーバ装置２のエリア別コンテンツ情報管理部２２１は、履歴情報を基にコンテンツ情報を配信すべき地域をリストアップしたデータベースを構築したり、履歴情報を基にコンテンツ情報を配信すべき地域を判断して、逐次、エリア別コンテンツ情報ＤＢ２３の内容を更新したりする機能を備えるように構成することもできる。
【０１６０】
例えば、店舗Ｂを運営する者は、いずれの店舗からの集客が良いかを当該リストアップしたデータベースから知ることができ、例えば、店舗Ａ系列の店舗からの集客力をより高めるために、店舗Ａ系列の店舗からのクーポンを優先的に店舗Ｂ系列の店舗に送客するようにクーポンの提示順を変更することができる。これを自動制御で行う場合、エリア別コンテンツ提供サーバ装置２は、例えば、クーポンを発行した店舗とクーポンが使用された店舗との間での実績を示す履歴情報を収集して記録しておき、エリア別コンテンツ提供サーバ装置２（又はエリア別コンテンツ提供サーバ装置２から履歴情報を取得する中継サーバ装置５）は、履歴情報を基に、配信するコンテンツの内容、配信するコンテンツの表示順序、又は当該配信するコンテンツに係る特定の地域の設定を動的に変更する。例えば、配信するコンテンツの表示順序に関して、エリア別コンテンツ提供サーバ装置２又は中継サーバ装置５は、クーポンを発行した店舗（無線ＬＡＮ確立した中継サーバ装置５を備える店舗）に関するコンテンツ情報（お得情報やクーポン）を筆頭にするか、又は他店舗のコンテンツ情報について、実績回数の多い順で、他店舗のクーポンを表示するようにコンテンツ一覧を表示するよう制御する機能を備えることができる。より具体的には、エリア別コンテンツ提供サーバ装置２又は中継サーバ装置５は、店舗Ａにおける中継サーバ装置５を介して過去に配信していた特定の地域のコンテンツ情報が、“店舗Ａにおけるお得情報”、“店舗Ｂにおけるクーポン”、“店舗Ｃにおけるクーポン”、“店舗Ｄにおけるクーポン”、及び“店舗Ｅにおける商品やサービス又は店舗の紹介情報”を含む際に、店舗Ａで取得した各店舗の使用されるクーポンの実績回数として店舗Ｄ，Ｃ，Ｂの順で利用実績が多いとして記録を解析したとする。このとき、エリア別コンテンツ提供サーバ装置２又は中継サーバ装置５は、店舗Ａにおける中継サーバ装置５を介して配信するクーポンの提示順序を店舗Ｄ，Ｃ，Ｂの順とし、“店舗Ａにおけるお得情報”や“店舗Ｅにおける商品やサービス又は店舗の紹介情報”もそのクーポンの提示の前又は後に表示するように、コンテンツ一覧を表示するよう制御する。
【０１６１】
次に、本発明による各実施形態のエリア別コンテンツ配信システム１による発明効果の一例を説明する。図２８は、本発明による各実施形態のエリア別コンテンツ配信システム１による発明効果の一例を説明する図である。
【０１６２】
まず、本発明に係る携帯端末装置３を有するユーザが車で、店舗Ａのガソリンスタンドに立ち寄る場合を考える（ステップＳ１０１）。店舗Ａの近隣（例えば、５ｋｍ以内の距離）には店舗Ｂのレストランや店舗Ｃのドラッグストアが有るとする。店舗Ａ，Ｂ，Ｃは、エリア別コンテンツ提供サーバ２で管理された特定のエリア（例えば、エリアＩＤ＝１）に属しており、各店舗には、エリア別コンテンツ提供サーバ２とネットワーク７で接続された中継サーバ装置５が配置される。
【０１６３】
続いて、本発明に係る携帯端末装置３を有するユーザは、店舗Ａで携帯端末装置３の「コヅチを振る動作」を行うとする。携帯端末装置３は、振動検知して店舗Ａに設置された中継サーバ装置５との無線ＬＡＮ通信を確立する（ステップＳ１０２）。
【０１６４】
続いて、本発明に係る携帯端末装置３を有するユーザは、店舗Ａで通信確立した中継サーバ装置５を介して、店舗Ｂや店舗Ｃのクーポンを取得する（ステップＳ１０３）。このようにして、店舗Ｂ又は店舗Ｃもしくはその双方に誘導（送客）することができ（ステップＳ１０４）、携帯端末装置３を利用するユーザの利便性が高まるとともに、事業者側としては地域に適したコンテンツの管理や配信の効率が高まるようになる。
【０１６５】
尚、本発明の実施形態におけるエリア別コンテンツ提供サーバ装置２、携帯端末装置３、放送システム４及び中継サーバ装置５のそれぞれの制御部のハード構成としては、その一部又は全部をコンピュータで構成することができる。このような制御部の各機能は、中央演算処理ユニット（ＣＰＵ）により、所定の記憶部（ＲＯＭやＲＡＭ等）に記憶されたプログラムを読み出して実行することで実現することができる。また、このプログラムは、磁気ディスクや光ディスク、半導体メモリ等の記憶媒体に格納して頒布することもできる。
【０１６６】
以上、特定の実施形態を挙げて本発明を説明したが、本発明は上述の実施形態に限定されるものではなく、その技術思想を逸脱しない範囲で種々変形可能である。例えば、上述の実施形態では、アプリケーション画面１０００を無線通信確立後に携帯端末装置３の表示部３１に提示するように説明したが、振動検知後に直ちにアプリケーション画面１０００を携帯端末装置３の表示部３１に提示するようにしてもよい。また、このようなアプリケーション画面１０００は、店舗ごとに異なる画面としてもよい。また、放送システム４に関する放送波として地上デジタル放送を例に説明したが、ＢＳ（放送衛星）放送やＣＳ（通信衛星）放送を利用する実施形態としてもよい。
【産業上の利用可能性】
【０１６７】
本発明によれば、携帯端末装置３を利用するユーザの利便性が高まるとともに、事業者側としては地域に適したコンテンツの管理や配信の効率が高まるようになるので、デジタルサイネージに係るコンテンツ提供の用途に有用である。
【符号の説明】
【０１６８】
１  エリア別コンテンツ配信システム
２  エリア別コンテンツ提供サーバ装置
３  携帯端末装置
４  放送システム
５  中継サーバ装置
７  ネットワーク
８  ＧＰＳ衛星装置
２１  ネットワーク通信部
２２  制御部
２３  エリア別コンテンツ情報ＤＢ
２４  放送用制御情報ＤＢ
３１  表示部
３２  記憶部
３３  入出力インターフェース（ＩＦ）部
３４  通信部
３５  操作部
３６  振動検知部
３７  位置情報取得部
３８  制御部
４１  ネットワーク通信部
４２  制御部
４３  エリア別コンテンツ情報記憶部
４４  放送用制御情報記憶部
５１  放送波受信部
５２  ネットワーク通信部
５３  無線ＬＡＮ通信部
５４  制御部
５５  表示装置
５６  中継サーバ装置識別子記憶部
５７  エリア別コンテンツ情報ＤＢ
５８  位置情報記憶部
２２１  エリア別コンテンツ情報管理部
２２２  エリア別コンテンツ情報送信部
２２３  放送用制御情報管理部
２２４  ユーザ関連情報取得部
２２５  エリア別コンテンツ情報確定部
２２６  エリア別コンテンツ情報送信部
３８１  振動情報確定部
３８２  無線ＬＡＮ通信確立部
３８３  位置情報確定部
３８４  位置情報送信部
３８５  エリア別コンテンツ表示制御部
３８６  コンテンツ情報保存部
３８７  クーポン実行制御部
４２１  放送波生成部
４２２  エリア別コンテンツ情報記憶制御部
４２３  放送用制御情報記憶制御部
５４１  放送コンテンツ情報記憶・再生制御部
５４２  エリア別コンテンツ情報抽出部
５４３  エリア別コンテンツ情報記憶制御部
５４４  無線ＬＡＮ通信確立部
５４５  位置情報取得部
５４６  エリア別コンテンツ情報確定部
５４７  エリア別コンテンツ情報送信部
５４８  ＴＰＯ情報確定部
３８５１  一覧画面・検索画面表示制御部
３８５２  検索条件確定部
３８５３  検索一覧画面表示制御部
１０００  起動時のアプリケーション画面
２０００  確認画面
３０００  一覧画面
４０００  検索画面
５０００  検索結果一覧画面
６０００  詳細情報画面
７０００  クーポン使用時画面
８０００  クーポン使用後画面
【図１】
2013115545.tif 000003
【図２】
2013115545.tif 000004
【図３】
2013115545.tif 000005
【図４】
2013115545.tif 000006
【図５】
2013115545.tif 000007
【図６】
2013115545.tif 000008
【図７】
2013115545.tif 000009
【図８】
2013115545.tif 000010
【図９】
2013115545.tif 000011
【図１０】
2013115545.tif 000012
【図１１】
2013115545.tif 000013
【図１２】
2013115545.tif 000014
【図１３】
2013115545.tif 000015
【図１４】
2013115545.tif 000016
【図１５】
2013115545.tif 000017
【図１６】
2013115545.tif 000018
【図１７】
2013115545.tif 000019
【図１８】
2013115545.tif 000020
【図１９】
2013115545.tif 000021
【図２０】
2013115545.tif 000022
【図２１】
2013115545.tif 000023
【図２２】
2013115545.tif 000024
【図２３】
2013115545.tif 000025
【図２４】
2013115545.tif 000026
【図２５】
2013115545.tif 000027
【図２６】
2013115545.tif 000028
【図２７】
2013115545.tif 000029
【図２８】
2013115545.tif 000030